(57)【特許請求の範囲】
【請求項１】
被検体の内部に導入したカプセル型内視鏡によって撮像された画像データを受信する受信手段と、
前記被検体を特定する特定情報を消去可能に記録した可搬な記録媒体を着脱可能に接続し、前記記録媒体内の前記被検体の特定情報を読み取る読取手段と、
前記読取手段によって読み取られた前記被検体の特定情報を表示する表示手段と、
前記表示手段に表示された前記被検体の特定情報を登録し、前記記録媒体内に残存する登録済みの前記被検体の特定情報を消去する制御を行う制御手段と、
を備えたことを特徴とする受信装置。
【請求項２】
前記受信手段および前記制御手段は、受信器本体に配置され、
前記読取手段および前記表示手段は、前記受信器本体に着脱可能に接続される外部表示手段に配置されることを特徴とする請求項１に記載の受信装置。
【請求項３】
被検体を特定する特定情報を消去可能に記録する記録媒体と該記録媒体内の前記被検体の特定情報を表示する表示手段とを有する外部表示手段と、
前記外部表示手段を着脱可能に接続し、前記被検体の内部に導入したカプセル型内視鏡によって撮像された画像データを受信する受信手段と、前記表示手段に表示された前記被検体の特定情報を登録し、前記記録媒体内に残存する登録済みの前記被検体の特定情報を消去する制御を行う制御手段とを有する受信器本体と、
を備えたことを特徴とする受信装置。
【請求項４】
前記記録媒体は、少なくとも前記被検体の特定情報を含む複数の被検体の特定情報を記録し、
複数の被検体の特定情報の中から前記被検体の特定情報を選択指示する選択指示手段を備え、
前記表示手段は、前記複数の被検体の特定情報を一覧表示し、
前記制御手段は、前記複数の被検体の特定情報の中から前記選択指示手段によって選択された前記被検体の特定情報を登録することを特徴とする請求項１〜３のいずれか一つに記載の受信装置。
【請求項５】
前記選択指示手段は、前記表示手段に一覧表示された複数の被検体の特定情報の中から前記被検体の特定情報を選択指示する選択指示情報を入力する入力手段であることを特徴とする請求項４に記載の受信装置。
【請求項６】
前記選択指示手段は、前記被検体に保持させたＲＦＩＤタグに記録された特定情報を読み取るＲＦＩＤ読取手段であり、
前記制御手段は、前記複数の被検体の特定情報の中から、前記ＲＦＩＤ読取手段によって読み取られた特定情報に合致する前記被検体の特定情報を登録することを特徴とする請求項４に記載の受信装置。
【請求項７】
前記受信器本体と前記外部表示手段との赤外線通信を行う赤外線通信手段を備え、
前記被検体の特定情報は、前記赤外線通信によって前記外部表示手段から前記受信器本体に送信されることを特徴とする請求項２〜６のいずれか一つに記載の受信装置。
【請求項８】
前記被検体に通知する所望情報を記載した印刷物を出力するプリンタを備えたことを特徴とする請求項１〜７のいずれか一つに記載の受信装置。
【請求項９】
被検体を特定する特定情報を消去可能に記録する可搬な記録媒体と、
前記記録媒体を着脱可能に接続し、前記記録媒体から読み取った前記被検体の特定情報を表示し、この表示した前記被検体の特定情報を登録するとともに、前記記録媒体内に残存する登録済みの前記被検体の特定情報を消去し、前記被検体内のカプセル型内視鏡によって撮像された画像データを受信する受信装置と、
を備えたことを特徴とする被検体内情報取得システム。
【請求項１０】
前記受信装置は、
前記記録媒体を着脱可能に接続し、前記記録媒体内の前記被検体の特定情報を読み取る読取手段と、該読取手段によって読み取られた前記被検体の特定情報を表示する表示手段とを有する外部表示手段と、
前記外部表示手段を着脱可能に接続し、前記被検体内のカプセル型内視鏡によって撮像された画像データを受信する受信手段と、前記表示手段に表示された前記被検体の特定情報を登録し、前記記録媒体内に残存する登録済みの前記被検体の特定情報を消去する制御を行う制御手段とを有する受信器本体と、
を備えたことを特徴とする請求項９に記載の被検体内情報取得システム。
【請求項１１】
被検体を特定する特定情報を消去可能に記録する記録媒体と該記録媒体内の前記被検体の特定情報を表示する表示手段とを有する外部表示手段と、
前記外部表示手段を着脱可能に接続し、前記被検体内のカプセル型内視鏡によって撮像された画像データを受信する受信手段と、前記表示手段に表示された前記被検体の特定情報を登録し、前記記録媒体内に残存する登録済みの前記被検体の特定情報を消去する制御を行う制御手段とを有する受信器本体と、
を備えたことを特徴とする被検体内情報取得システム。
【請求項１２】
前記被検体の特定情報を含む複数の被検体の特定情報を一元管理する管理手段を備え、
前記記録媒体は、前記管理手段によって一元管理された前記被検体の特定情報を記録することを特徴とする請求項９〜１１のいずれか一つに記載の被検体内情報取得システム。
【発明の詳細な説明】
【技術分野】
【０００１】
この発明は、被検体の体内に導入されるカプセル型内視鏡によって撮像された画像データを所定の電波を介して受信する受信装置およびこれを用いた被検体内情報取得システムに関するものである。
【背景技術】
【０００２】
近年、内視鏡の分野においては、撮像機能と無線通信機能とが設けられた飲込み型の内視鏡であるカプセル型内視鏡が登場し、このカプセル型内視鏡によって撮像された被検体内の画像データを取得する被検体内情報取得システムが開発されている。この被検体内情報取得システムにおいて、カプセル型内視鏡は、観察（検査）のために被検体の口から飲込まれた後、被検体から自然排出されるまでの間、被検体の消化管内をその蠕動運動に従って移動するとともに、所定間隔、例えば０．５秒間隔で消化管内の画像を撮像するように機能する。
【０００３】
カプセル型内視鏡が被検体の消化管内を移動する間、このカプセル型内視鏡によって撮像された画像データは、順次無線通信によって外部に送信され、被検体の外部に分散配置された受信アンテナを介して受信装置に受信される。受信装置は、このような受信アンテナを介して順次受信した無線信号に基づいて画像データを生成し、得られた画像データをメモリに順次蓄積する。このようにして、受信装置は、カプセル型内視鏡から被検体内の画像データを取得する。被検体は、このような受信装置を携帯することによって、カプセル型内視鏡を飲込んでから自然排出するまでの間に亘り、受信装置に消化管内の画像データを受信させつつ自由に行動できる。その後、医師または看護師は、この受信装置に蓄積された被検体内の画像データを画像表示装置に取り込ませ、この画像表示装置のディスプレイに被検体内の画像を表示させる。医師または看護師は、ディスプレイに表示させた被検体内の画像を観察することによって、被検体の診断を行うことができる（例えば、特許文献１参照）。
【０００４】
このような受信装置は、被検体内に導入されたカプセル型内視鏡から画像データを受信する前に、被検体を特定する患者名または患者ＩＤ等の患者情報を取得し、この患者情報によって特定される被検体の画像データとしてカプセル型内視鏡から画像データを受信するように初期設定する。なお、このような患者情報は、通常、上述した画像表示装置によって一元管理される。この場合、受信装置は、例えば医局に設置された画像表示装置に接続し、この画像表示装置から被検体の患者情報を取得して初期設定する。その後、このように初期設定した受信装置は、例えば検査室に持ち運ばれ、検査室内の被検体に装着される。
【０００５】
【特許文献１】特開２００３−１９１１１号公報
【発明の開示】
【発明が解決しようとする課題】
【０００６】
しかしながら、上述した従来の被検体内情報取得システムでは、既に初期設定が行われた受信装置を被検体に装着させているので、この受信装置を他の被検体に間違えて装着させる虞がある。このような被検体の取り違いは、受信装置を装着した被検体とこの受信装置に登録した患者情報によって特定される被検体とが一致しない事態を招来し、被検体の検査および診断に多大な支障を来たす。
【０００７】
この発明は、上記事情に鑑みてなされたものであって、被検体の取り違いを防止でき、所望の被検体内の画像データを正しく取得できる受信装置およびこれを用いた被検体内情報取得システムを提供することを目的とする。
【課題を解決するための手段】
【０００８】
上述した課題を解決し、目的を達成するために、請求項１にかかる受信装置は、被検体の内部に導入したカプセル型内視鏡によって撮像された画像データを受信する受信手段と、前記被検体を特定する特定情報を消去可能に記録した可搬な記録媒体を着脱可能に接続し、前記記録媒体内の前記被検体の特定情報を読み取る読取手段と、前記読取手段によって読み取られた前記被検体の特定情報を表示する表示手段と、前記表示手段に表示された前記被検体の特定情報を登録し、前記記録媒体内に残存する登録済みの前記被検体の特定情報を消去する制御を行う制御手段と、を備えたことを特徴とする。
【０００９】
また、請求項２にかかる受信装置は、上記の発明において、前記受信手段および前記制御手段は、受信器本体に配置され、前記読取手段および前記表示手段は、前記受信器本体に着脱可能に接続される外部表示手段に配置されることを特徴とする。
【００１０】
また、請求項３にかかる受信装置は、被検体を特定する特定情報を消去可能に記録する記録媒体と該記録媒体内の前記被検体の特定情報を表示する表示手段とを有する外部表示手段と、前記外部表示手段を着脱可能に接続し、前記被検体の内部に導入したカプセル型内視鏡によって撮像された画像データを受信する受信手段と、前記表示手段に表示された前記被検体の特定情報を登録し、前記記録媒体内に残存する登録済みの前記被検体の特定情報を消去する制御を行う制御手段とを有する受信器本体と、を備えたことを特徴とする。
【００１１】
また、請求項４にかかる受信装置は、上記の発明において、前記記録媒体は、少なくとも前記被検体の特定情報を含む複数の被検体の特定情報を記録し、複数の被検体の特定情報の中から前記被検体の特定情報を選択指示する選択指示手段を備え、前記表示手段は、前記複数の被検体の特定情報を一覧表示し、前記制御手段は、前記複数の被検体の特定情報の中から前記選択指示手段によって選択された前記被検体の特定情報を登録することを特徴とする。
【００１２】
また、請求項５にかかる受信装置は、上記の発明において、前記選択指示手段は、前記表示手段に一覧表示された複数の被検体の特定情報の中から前記被検体の特定情報を選択指示する選択指示情報を入力する入力手段であることを特徴とする。
【００１３】
また、請求項６にかかる受信装置は、上記の発明において、前記選択指示手段は、前記被検体に保持させたＲＦＩＤタグに記録された特定情報を読み取るＲＦＩＤ読取手段であり、前記制御手段は、前記複数の被検体の特定情報の中から、前記ＲＦＩＤ読取手段によって読み取られた特定情報に合致する前記被検体の特定情報を登録することを特徴とする。
【００１４】
また、請求項７にかかる受信装置は、上記の発明において、前記受信器本体と前記外部表示手段との赤外線通信を行う赤外線通信手段を備え、前記被検体の特定情報は、前記赤外線通信によって前記外部表示手段から前記受信器本体に送信されることを特徴とする。
【００１５】
また、請求項８にかかる受信装置は、上記の発明において、前記被検体に通知する所望情報を記載した印刷物を出力するプリンタを備えたことを特徴とする。
【００１６】
また、請求項９にかかる被検体内情報取得システムは、被検体を特定する特定情報を消去可能に記録する可搬な記録媒体と、前記記録媒体を着脱可能に接続し、前記記録媒体から読み取った前記被検体の特定情報を表示し、この表示した前記被検体の特定情報を登録するとともに、前記記録媒体内に残存する登録済みの前記被検体の特定情報を消去し、前記被検体内のカプセル型内視鏡によって撮像された画像データを受信する受信装置と、を備えたことを特徴とする。
【００１７】
また、請求項１０にかかる被検体内情報取得システムは、上記の発明において、前記受信装置は、前記記録媒体を着脱可能に接続し、前記記録媒体内の前記被検体の特定情報を読み取る読取手段と、該読取手段によって読み取られた前記被検体の特定情報を表示する表示手段とを有する外部表示手段と、前記外部表示手段を着脱可能に接続し、前記被検体内のカプセル型内視鏡によって撮像された画像データを受信する受信手段と、前記表示手段に表示された前記被検体の特定情報を登録し、前記記録媒体内に残存する登録済みの前記被検体の特定情報を消去する制御を行う制御手段とを有する受信器本体と、を備えたことを特徴とする。
【００１８】
また、請求項１１にかかる被検体内情報取得システムは、被検体を特定する特定情報を消去可能に記録する記録媒体と該記録媒体内の前記被検体の特定情報を表示する表示手段とを有する外部表示手段と、前記外部表示手段を着脱可能に接続し、前記被検体内のカプセル型内視鏡によって撮像された画像データを受信する受信手段と、前記表示手段に表示された前記被検体の特定情報を登録し、前記記録媒体内に残存する登録済みの前記被検体の特定情報を消去する制御を行う制御手段とを有する受信器本体と、を備えたことを特徴とする。
【００１９】
また、請求項１２にかかる被検体内情報取得システムは、上記の発明において、前記被検体の特定情報を含む複数の被検体の特定情報を一元管理する管理手段を備え、前記記録媒体は、前記管理手段によって一元管理された前記被検体の特定情報を記録することを特徴とする。
【発明の効果】
【００２０】
この発明によれば、この被検体に対して一意的に決められた受信器本体にこの被検体の患者情報を正しく登録でき、これによって、検査対象の被検体と他の被検体との取り違いを防止でき、カプセル型内視鏡によって撮像された画像データを検査対象の被検体の画像データとして正しく取得できる受信装置およびこれを用いた被検体内情報取得システムを実現できるという効果を奏する。
【発明を実施するための最良の形態】
【００２１】
以下、図面を参照して、この発明にかかる受信装置およびこれを用いた被検体内情報取得システムの好適な実施の形態を詳細に説明する。なお、この実施の形態によって、この発明が限定されるものではない。
【００２２】
（実施の形態１）
図１は、この発明の実施の形態１にかかる被検体内情報取得システムの一構成例を模式的に示す模式図である。図１に示すように、この実施の形態１にかかる被検体内情報取得システムは、被検体１の内部に導入して被検体１の消化管内を撮像するカプセル型内視鏡２と、カプセル型内視鏡２によって撮像された画像データを受信する受信装置３と、カプセル型内視鏡２によって撮像された画像データに基づく被検体１内の画像を表示する画像表示装置５と、受信装置３と画像表示装置５との間の情報の受け渡しを行うための可搬記録媒体６とを有する。
【００２３】
カプセル型内視鏡２は、被検体の内部に導入され、被検体内を撮像し得る撮像機能と撮像した画像データを外部に送信する無線通信機能とを有する。具体的には、カプセル型内視鏡２は、被検体１に飲込まれ、被検体１の消化管内を蠕動によって移動する。これと同時に、カプセル型内視鏡２は、被検体１の消化管内の画像を逐次撮像し、得られた被検体１内の画像データを被検体１の外部の受信装置３に逐次送信する。
【００２４】
受信装置３は、カプセル型内視鏡２によって撮像された画像データを受信し、受信した画像データを検査対象の被検体の画像データとして蓄積する。具体的には、受信装置３は、被検体の体表上に配置される受信アンテナ４ａ〜４ｈと、受信アンテナ４ａ〜４ｈを介して画像データを受信する受信器本体３ａとを有する。受信器本体３ａは、例えば被検体１に装着される際、または装着された後、可搬記録媒体６が着脱可能に接続され、この可搬記録媒体６に記録された情報を読み取る。この場合、受信器本体３ａは、この可搬記録媒体６から読み取った情報をもとに、この被検体１を検査対象として初期設定する初期化処理を行う。このように初期化処理を行った受信器本体３ａは、カプセル型内視鏡２から受信した画像データを検査対象の被検体１の画像データとして蓄積できるようになる。一方、受信器本体３ａは、例えば受信アンテナ４ａ〜４ｈが接続され、かかる受信アンテナ４ａ〜４ｈのいずれかを介してカプセル型内視鏡２から画像データを受信する。この場合、受信器本体３ａは、かかる受信アンテナ４ａ〜４ｈのいずれかを介し、被検体１内のカプセル型内視鏡２によって送信された無線信号を受信し、この無線信号に含まれる画像データ、すなわちカプセル型内視鏡２によって撮像された画像データを取得する。受信器本体３ａは、被検体１を検査対象として初期設定した場合、かかるカプセル型内視鏡２から受信した画像データを被検体１の画像データとして逐次蓄積する。
【００２５】
受信アンテナ４ａ〜４ｈは、例えばループアンテナを用いて実現され、図１に示したように、被検体１の体表上の所定位置（例えばカプセル型内視鏡２の通過経路に対応する位置）に配置される。このように体表上に分散配置された受信アンテナ４ａ〜４ｈのいずれかは、例えば被検体１の消化管内を移動するカプセル型内視鏡２から無線信号を確実に受信でき、このカプセル型内視鏡２からの無線信号を受信器本体３ａに送信する。なお、このような受信アンテナは、被検体１に対して１以上、望ましくは複数配置されればよく、その配置数量は特に８つに限定されない。
【００２６】
画像表示装置５は、カプセル型内視鏡２によって撮像された画像等を表示するワークステーション等のような構成を有し、表示した画像をもとに医師または看護師が被検体の消化管内を検査し、診断するための処理機能を有する。具体的には、画像表示装置５は、所定のクレードルまたはケーブル等を介して受信装置３を接続し、この受信装置３に蓄積された画像データ、すなわちカプセル型内視鏡２によって撮像された画像データを取り込む。画像表示装置５は、かかる受信装置３から取り込んだ画像データに基づく画像、例えば被検体１の消化管内の画像を表示する。この場合、画像表示装置５は、ＣＲＴディスプレイまたは液晶ディスプレイ等によって画像を表示してもよいし、プリンタ等のように他の媒体に画像を出力してもよい。なお、画像表示装置５は、受信装置３に着脱可能に接続できるコンパクトフラッシュ（登録商標）等の携帯型記録媒体を媒介にして、受信装置３に蓄積された画像データを取り込んでもよい。
【００２７】
また、画像表示装置５は、可搬記録媒体６に記録させる被検体の患者情報を一元管理する管理手段として機能する。具体的には、画像表示装置５は、例えば複数の被検体の患者情報を一元管理し、所定のコネクタ等を介して可搬記録媒体６を接続した場合、これら複数の被検体の患者情報の中から検査対象の被検体の患者情報をこの可搬記録媒体６に保存する。
【００２８】
可搬記録媒体６は、受信装置３に取得させる検査対象の被検体の患者情報を消去可能に記録する可搬な記録媒体として機能する。具体的には、可搬記録媒体６は、例えばＵＳＢメモリ等の所定のコネクタを有する可搬な記録媒体であり、受信装置３および画像表示装置３に着脱可能にそれぞれ接続できる。この場合、可搬記録媒体６は、所定のコネクタ等を介して画像表示装置５に接続され、この画像表示装置５によって一元管理される複数の被検体の患者情報の中から例えば被検体１の患者情報を消去可能に記録する。かかる被検体１の患者情報を記録した可搬記録媒体６は、被検体１に装着させる受信装置３（すなわち被検体１の内部に導入したカプセル型内視鏡２から画像データを受信する受信装置３）に接続され、この受信装置３に被検体１の患者情報を取得させる。その後、この可搬記録媒体６に残存する被検体１の患者情報は、受信装置３の制御に基づいて消去される。なお、上述した被検体の患者情報は、被検体を特定する特定情報であって、例えば被検体の患者名、患者ＩＤ、年齢、性別、生年月日等である。
【００２９】
つぎに、この発明の実施の形態１にかかる受信装置３の構成について説明する。図２は、この実施の形態１にかかる受信装置３の一構成例を模式的に示すブロック図である。図２に示すように、受信装置３は、上述した受信アンテナ４ａ〜４ｈと受信器本体３ａとを有する。受信器本体３ａは、カプセル型内視鏡２からの無線信号を受信する受信アンテナを受信アンテナ４ａ〜４ｈのいずれかに切り替えるアンテナ切替部８と、受信アンテナ４ａ〜４ｈのいずれかを介して受信したカプセル型内視鏡２からの無線信号を画像信号に復調する受信回路９と、アンテナ切替部８のアンテナ切替動作を制御する切替制御回路１０と、受信回路９によって復調された画像信号をもとにカプセル型内視鏡２による画像データを生成する信号処理回路１１とを有する。また、受信器本体３ａは、被検体の患者情報または画像データ等を送受信する通信部１２と、通信部１２に対する可搬記録媒体６の接続を検知する接続検知部１３とを有する。さらに、受信器本体３ａは、制御部１８に対して指示する指示情報を入力する入力部１５と、可搬記録媒体６に記録された被検体の患者情報を表示する表示部１６と、画像データ等の各種情報を蓄積する記憶部１７と、受信装置３の各構成部の駆動と可搬記録媒体６の患者情報の消去処理とを制御する制御部１８と、受信装置３の各構成部に駆動電力を供給する電源部１９とを有する。
【００３０】
アンテナ切替部８は、上述した受信アンテナ４ａ〜４ｈが接続され、カプセル型内視鏡２からの無線信号を受信する受信アンテナを複数の受信アンテナ４ａ〜４ｈのうちのいずれかに切り替えるアンテナ切替動作を行う。アンテナ切替部８は、切替制御回路１０によってアンテナ切替動作が制御され、受信アンテナ４ａ〜４ｈのいずれかと受信回路９とを電気的に接続する。この場合、アンテナ切替部８は、受信アンテナ４ａ〜４ｈのいずれかを介して受信した無線信号を受信回路９に出力する。
【００３１】
受信回路９は、受信アンテナ４ａ〜４ｈのいずれかを介して受信したカプセル型内視鏡２からの無線信号に対して所定の復調処理等を行い、この無線信号を画像信号に復調する。この画像信号は、カプセル型内視鏡２によって撮像された画像データを含むベースバンド信号である。受信回路９は、得られた画像信号を信号処理回路１１に出力する。一方、受信回路９は、受信アンテナ４ａ〜４ｈのいずれかを介して受信したカプセル型内視鏡２からの無線信号の受信電解強度を検出し、検出した受信電界強度を示すアナログ信号、例えばＲＳＳＩ（Received Signal Strength Indicator：受信信号強度表示信号）を生成する。受信回路９は、このような受信電界強度を示すアナログ信号をデジタル信号に変換して切替制御回路１０に出力する。
【００３２】
切替制御回路１０は、上述したアンテナ切替部８のアンテナ切替動作を制御するためのものである。具体的には、切替制御回路１０は、受信回路９によって入力された例えばＲＳＳＩのデジタル信号をもとに、カプセル型内視鏡２からの無線信号の受信電界強度が最も高くなる受信アンテナを複数の受信アンテナ４ａ〜４ｈの中から選択し、このように選択した受信アンテナに切り替えるようアンテナ切替部８のアンテナ切替動作を制御する。
【００３３】
信号処理回路１１は、受信回路９によって復調された画像信号に含まれる画像データを生成するためのものである。具体的には、信号処理回路１１は、受信回路９から画像信号を受信し、受信した画像信号に対して所定の画像処理等を行ってフレーム単位の画像データを生成する。この画像データは、例えばカプセル型内視鏡２によって撮像された被検体１内の画像データである。信号処理回路１１は、得られた画像データを制御部１８に出力する。
【００３４】
通信部１２は、例えばＵＳＢコネクタ等の所定のインターフェースを有し、可搬記録媒体６のコネクタ６ａを接続した場合、受信器本体３ａと可搬記録媒体６との信号の送受信を行う。この場合、通信部１２は、コネクタ６ａを介して接続された可搬記録媒体６に記録された被検体の患者情報を読み取る読取手段として機能する。通信部１２は、かかる可搬記録媒体６から読み取った被検体の患者情報を制御部１８に送信する。また、通信部１２は、可搬記録媒体６内の被検体の患者情報を消去指示する制御信号を制御部１８から受信し、受信した制御信号を可搬記録媒体６に送信する。この制御信号を受信した可搬記録媒体６は、保持している登録済みの被検体の患者情報を消去する。一方、通信部１２は、例えばＵＳＢケーブル等の所定のケーブルまたはクレードル等を介して画像表示装置５に接続される。この場合、通信部１２は、制御部１８から入力された画像データを画像表示装置５に送信する。すなわち、受信器本体３ａに蓄積された画像データは、このような通信部１２等を介して画像表示装置５に取り込まれる。
【００３５】
接続検知部１３は、可搬記録媒体６と通信部１２との接続を検知するためのものである。具体的には、接続検知部１３は、コネクタ６ａ等を介した可搬記録媒体６と通信部１２との接続に伴う電気的な導通を検知することによって、可搬記録媒体６と通信部１２とが接続された旨を検知する。接続検知部１３は、このような可搬記録媒体６と通信部１２との接続が行われた旨の接続検知結果を制御部１８に通知する。
【００３６】
入力部１５は、例えば複数の入力ボタン等を用いて実現され、操作者の入力操作に応じ、制御部１８に指示する指示情報等を入力する。この場合、入力部１５は、例えば、受信器本体３ａを起動させる指示情報、カプセル型内視鏡２によって送信される無線信号の受信動作を開始または停止させる指示情報等を制御部１８に入力する。
【００３７】
表示部１６は、通信部１２に接続された可搬記録媒体６内の被検体の特定情報を表示する表示手段として機能する。具体的には、表示部１６は、液晶または有機ＥＬ等のディスプレイを用いて実現され、制御部１８の制御に基づいて各種情報を表示する。この場合、表示部１６は、例えば、通信部１２を介して可搬記録媒体６から読み取られた被検体の患者情報を表示する。
【００３８】
記憶部１７は、例えばＨＤＤまたはフラッシュメモリ等の大容量メモリを用いて実現され、制御部１８の制御に基づいて各種情報を保存する。この場合、記憶部１７は、例えば、信号処理回路１１によって生成された画像データ、制御部１８によって登録された被検体の患者情報等を保存する。なお、記憶部１７は、コンパクトフラッシュ（登録商標）またはＳＤメモリカード等の携帯型記録媒体を着脱可能に挿着できる構造を有するようにし、このような携帯型記録媒体に対して画像データ等を順次蓄積するように構成されてもよい。
【００３９】
制御部１８は、処理プログラムを実行するＣＰＵ（Central Processing Unit）と、処理プログラム等が予め記録されたＲＯＭと、各処理の演算パラメータまたは制御部１８に入力された各種入力情報等を記憶するＲＡＭとを用いて実現される。制御部１８は、入力部１５によって入力された指示情報に基づいて受信装置３の各構成部の駆動を制御する。この場合、制御部１８は、各構成部間の情報の入出力制御を行い、例えば表示部１６による表示動作、記憶部１７に対する情報保存動作または情報読み出し動作、通信部１２の情報送受信動作等の制御を行う。また、制御部１８は、接続検知部１３の駆動を制御し、可搬記録媒体６と通信部１２との接続が行われた旨の接続検知結果を接続検知部１３から受信した場合、この可搬記録媒体６に記録された被検体の患者情報を読み取るよう通信部１２を制御する。この場合、制御部１８は、この通信部１２を介して可搬記録媒体６から被検体の患者情報を取得する。
【００４０】
また、制御部１８は、可搬記録媒体６から取得した患者情報をもとに受信器本体３ａの初期設定を行う初期化処理部１８ａと、可搬記録媒体６に残存する登録済みの被検体の患者情報を消去する消去処理部１８ｂとを有する。初期化処理部１８ａは、可搬記録媒体６に記録された被検体の患者情報を取得した場合、この被検体の患者情報をもとに受信器本体３ａを初期設定する初期化処理を行う。この初期化処理において、初期化処理部１８ａは、取得した患者情報を検査対象の被検体を特定するものとして更新し、受信器本体３ａに登録する。制御部１８は、この登録済みの被検体の患者情報を記憶部１７に保存する。このように受信器本体３ａが初期設定された場合、制御部１８は、カプセル型内視鏡２からの画像データをこの登録済みの患者情報に特定される被検体の画像データとして記憶部１７に順次蓄積する。
【００４１】
消去処理部１８ｂは、初期化処理部１８ａが受信器本体３ａを初期設定した場合、この受信器本体３ａに登録済みの患者情報と同一のものを可搬記録媒体６から消去する。この場合、消去処理部１８ｂは、可搬記録媒体６に残存する登録済みの患者情報を消去指示する制御信号を生成し、通信部１２を介してこの制御信号を可搬記録媒体６に送信する。可搬記録媒体６は、かかる消去処理部１８ｂに生成された制御信号に基づいて、保持している登録済みの患者情報を消去する。このようにして、制御部１８は、通信部１２に着脱可能に接続された可搬記録媒体６の患者情報の消去処理を制御する。
【００４２】
つぎに、可搬記録媒体６に記録された患者情報をもとに受信器本体３ａを初期設定し、可搬記録媒体６に残存する登録済みの患者情報を消去させる制御部１８の動作を説明する。図３は、受信器本体３ａを初期設定するとともに可搬記録媒体６内の登録済みの患者情報を消去する制御を行う制御部１８の処理手順を例示するフローチャートである。図３において、制御部１８は、まず、通信部１２に対して可搬記録媒体６が接続されたか否かを常時監視し、可搬記録媒体６と通信部１２との接続を検知しなければ（ステップＳ１０１，Ｎｏ）、かかる可搬記録媒体６と通信部１２との接続有無の監視を継続する。この場合、制御部１８は、可搬記録媒体６と通信部１２とが接続された旨の接続検知結果を接続検知部１３から受信しなければ、可搬記録媒体６と通信部１２との接続を検知しない。
【００４３】
一方、制御部１８は、可搬記録媒体６と通信部１２とが接続された旨の接続検知結果を接続検知部１３から受信した場合、可搬記録媒体６と通信部１２との接続を検知し（ステップＳ１０１，Ｙｅｓ）、この可搬記録媒体６に記録された患者情報を読み取る（ステップＳ１０２）。この場合、制御部１８は、可搬記録媒体６から患者情報を読み取るよう通信部１２の駆動を制御し、通信部１２を介して可搬記録媒体６から患者情報を取得する。
【００４４】
つぎに、制御部１８は、この可搬記録媒体６から取得した患者情報を表示部１６に表示させ（ステップＳ１０３）、この表示部１６に表示させた患者情報をもとに受信器本体３ａを初期設定する初期化処理を実行する（ステップＳ１０４）。この場合、初期化処理部１８ａは、この表示部１６に表示させた患者情報を検査対象の被検体（すなわち受信装置３を装着させる被検体）を特定するものとして更新し、これによって、この患者情報を受信器本体３ａに登録する。制御部１８は、この登録済みの被検体の患者情報を記憶部１７に保存する（ステップＳ１０５）。
【００４５】
その後、制御部１８は、可搬記録媒体６に残存する登録済みの患者情報、すなわち受信器本体３ａに登録済みの患者情報と同一のものを消去する制御を行う（ステップＳ１０６）。この場合、消去処理部１８ｂは、この可搬記録媒体６に残存する登録済みの患者情報を消去指示する制御信号を生成し、通信部１２を介してこの制御信号を可搬記録媒体６に送信する。制御部１８は、このような制御信号を可搬記録媒体６に送信することによって、この可搬記録媒体６に残存する登録済みの患者情報を消去する消去処理を制御する。
【００４６】
つぎに、カプセル型内視鏡２を導入する検査対象の被検体１に受信装置３を装着させる場合を例示して、この実施の形態１にかかる被検体内情報取得システムの各構成部の作用について具体的に説明する。図４は、可搬記録媒体６に記録された検査対象の被検体１の患者情報を受信装置３に登録して受信装置３を初期設定する状態を例示する模式図である。以下、図４を参照しつつ、この実施の形態１にかかる被検体内情報取得システムの各構成部の作用について説明する。
【００４７】
可搬記録媒体６は、例えば医局Ｒ１に配置されている画像表示装置５に着脱可能に接続され、検査対象の被検体１の患者情報Ａを消去可能に記録する。具体的には、画像表示装置５は、この患者情報Ａを含む複数の被検体の患者情報（患者情報Ａ，Ｂ，Ｃ，Ｄ…）を一元管理している。画像表示装置５は、コネクタ等を介して可搬記録媒体６を着脱可能に接続した場合、これら複数の被検体の患者情報の中から選択された被検体１の患者情報Ａのコピー情報をこの可搬記録媒体６に書き込む。この場合、可搬記録媒体６は、被検体１の患者情報Ａを消去可能に記録する。なお、画像表示装置５は、例えば医師または看護師等の検査者による患者情報の選択操作に応じて、これら複数の被検体の患者情報の中から可搬記録媒体６に書き込む患者情報を選択する。
【００４８】
また、画像表示装置５は、例えば患者情報Ａを可搬記録媒体６に書き込んだ場合、この可搬記録媒体６によって患者情報Ａが持ち出された旨を示すフラグを患者情報Ａ（すなわち一元管理する元の患者情報Ａ）に付する。このようにして、画像表示装置５は、複数の被検体の患者情報を一元管理するとともに、各患者情報が可搬記録媒体等によって持ち出された患者情報であるか否かについても管理する。
【００４９】
一方、被検体１の患者情報Ａを消去可能に記録した可搬記録媒体６は、被検体１が待機する検査室Ｒ２に運ばれる。検査室Ｒ２に待機中の被検体１には、カプセル型内視鏡２によって撮像された画像データを蓄積する受信装置３を装着される。この場合、受信アンテナ４ａ〜４ｈが被検体１の体表上に分散配置され、かかる受信アンテナ４ａ〜４ｈが接続される受信器本体３ａが例えば被検体１の胴体に装着される。このような受信装置３は、被検体１に装着されることによって、被検体１の画像データを蓄積するためのものとして一意的に決定される。なお、被検体１に装着させる受信装置３は、所定の動作確認が予め行われたものであり、カプセル型内視鏡２が被検体１に導入されてから体外に排出されるまでの間、このカプセル型内視鏡２によって撮像された画像データを含む無線信号を正常に受信できる状態のものである。
【００５０】
ここで、被検体１の患者情報Ａを消去可能に記録した可搬記録媒体６は、被検体１に装着させる受信装置３に着脱可能に接続される。具体的には、この可搬記録媒体６は、被検体１に受信装置３を装着させる際、または被検体１に受信装置３を装着させた後、この受信装置３の受信器本体３ａに着脱可能に接続される。この場合、受信器本体３ａの制御部１８は、上述したステップＳ１０１〜Ｓ１０６の処理手順を行う。すなわち、制御部１８は、この可搬記録媒体６に記録された患者情報Ａを読み取るとともに表示部１６に表示させ、その後、この表示した患者情報Ａを検査対象の被検体１の患者情報として更新し、受信器本体３ａに患者情報Ａを登録する。検査者は、この表示部１６に表示された患者情報Ａを視認することによって、この受信器本体３ａに登録される患者情報と検査対象の被検体１とが合致するか否かを容易に確認できる。また、制御部１８は、記憶部１７に患者情報Ａを保存し、さらに、この可搬記録媒体６に残存する登録済みの患者情報Ａを消去する消去処理を制御する。この場合、可搬記録媒体６は、制御部１８の制御に基づいて、この残存する登録済みの患者情報Ａを消去する。その後、この登録済みの患者情報Ａが消去された可搬記録媒体６は、受信器本体３ａから取り外される。
【００５１】
このように、受信装置３が検査対象の被検体１に対して一意的に決定され、その後、被検体１の患者情報Ａがこの受信装置３の受信器本体３ａに登録されるので、受信器本体３ａは、カプセル型内視鏡２から受信した画像データをこの被検体１の画像データとして蓄積するように確実に初期設定できる。また、受信器本体３ａに登録される患者情報が表示部１６に表示されるので、検査者は、検査対象の被検体１と他の被検体とを取り違えることなく、受信器本体３ａに対して検査対象の被検体１の患者情報Ａを確実に登録させることができる。
【００５２】
このような患者情報Ａをもとに初期設定された受信器本体３ａは、カプセル型内視鏡２から受信した画像データを被検体１の画像データとして蓄積するようになる。なお、この受信器本体３ａは、上述したように、この患者情報Ａによって特定される被検体１に装着され、この被検体１に対して一意的に決定されている。したがって、この被検体１の内部にカプセル型内視鏡２が導入された場合、受信器本体３ａは、検査対象の被検体１と他の被検体とを取り違えることなく、このカプセル型内視鏡２によって撮像された画像データをこの被検体１の画像データとして正しく蓄積できる。
【００５３】
その後、この受信器本体３ａに蓄積された被検体１の画像データは、この受信器本体３ａまたは携帯型記録媒体を媒介にして、上述した医局Ｒ１の画像表示装置５に取り込まれる。この場合、画像表示装置５は、被検体１の画像データとともに被検体１の患者情報Ａを取得し、上述した可搬記録媒体６によって持ち出された患者情報Ａが画像データとともに戻されたことを把握する。画像表示装置５は、このように患者情報Ａが戻されたことを把握した場合、一元管理している元の患者情報Ａに付したフラグを削除する。一方、画像表示装置５は、取得した被検体１の画像データをもとに、被検体１の消化管内の画像を表示する。検査者は、画像表示装置５に表示させた被検体１の消化管内の画像を観察（検査）し、被検体１を診断する。
【００５４】
なお、この発明の実施の形態１では、制御部１８は、可搬記録媒体６から取得した患者情報を表示部１６に表示させるとともに登録していたが、この発明はこれに限定されるものではなく、制御部１８は、可搬記録媒体６から取得した患者情報を表示部１６に表示させ、その後、この表示された患者情報を登録する指示情報を入力部１５から入力された場合に、この患者情報を登録してもよい。
【００５５】
また、制御部１８は、可搬記録媒体６から取得した患者情報を表示部１６に表示させていたが、これに限らず、可搬記録媒体６から取得した患者情報を表示部１６に表示させた後、登録済みの患者情報を表示部１６に表示させてもよい。検査者は、この表示部１６に表示された登録済みの患者情報を視認することによって、検査対象の被検体の患者情報が受信器本体３ａに正しく登録されたか否かを確認できる。
【００５６】
さらに、この発明の実施の形態１では、可搬記録媒体６に１つの被検体の患者情報を消去可能に記録していたが、この発明はこれ限定されるものではなく、可搬記録媒体６に複数の被検体の患者情報を消去可能に記録してもよい。この場合、制御部１８は、可搬記録媒体６に記録された複数の被検体の患者情報を取得し、これら複数の被検体の患者情報を表示部１６に一覧表示させる。また、制御部１８は、入力部１５から入力された指示情報に基づいて、これら複数の被検体の患者情報の中から所望の被検体の患者情報を選択し、選択した被検体の患者情報を登録する。その後、制御部１８は、この可搬記録媒体６に残存する複数の被検体の患者情報の中から登録済みの被検体の患者情報を消去させる。
【００５７】
以上、説明したように、この発明の実施の形態１では、検査対象の被検体を特定する患者情報を消去可能に記録する可搬記録媒体を媒介にして、この被検体の患者情報を取得するとともに表示し、この表示した被検体の患者情報を受信器本体に登録するようにし、さらに、この可搬記録媒体に残存する登録済みの患者情報を消去するように構成した。このため、この被検体に対して一意的に決められた受信器本体にこの被検体の患者情報を登録でき、カプセル型内視鏡から受信した画像データをこの被検体の画像データとして蓄積するように受信器本体を確実に初期設定できる。これによって、検査対象の被検体と他の被検体との取り違いを防止でき、カプセル型内視鏡によって撮像された画像データを検査対象の被検体の画像データとして正しく取得できる受信装置およびこれを用いた被検体内情報取得システムを実現することができる。
【００５８】
また、可搬記録媒体から取得した患者情報を表示するように構成している。このため、受信器本体に登録する患者情報とこの受信器本体を装着する検査対象の被検体とが合致するか否かを容易に確認できる。これによって、検査対象の被検体と他の被検体とを取り違えることなく、この発明にかかる受信装置の受信器本体に対して検査対象の被検体の患者情報を確実に登録させることができる。
【００５９】
さらに、カプセル型内視鏡によって送信された画像データを正常に受信できる状態であることが予め確認された受信器本体を被検体に装着させ、この受信器本体にこの被検体の患者情報を登録できるので、この受信器本体を初期設定した直後からカプセル型内視鏡からの画像データを受信器本体に順次蓄積させることができる。このため、被検体にカプセル型内視鏡を導入する際、または導入した後に、この受信器本体が正常に動作しない事態を抑制でき、被検体内に導入したカプセル型内視鏡からの画像データを受信器本体に蓄積させるまでの準備作業にかかる時間および労力を軽減できる。
【００６０】
（実施の形態２）
つぎに、この発明の実施の形態２について説明する。上述した実施の形態１では、可搬記録媒体６に記録された患者情報を表示する表示部１６が受信器本体３ａに対して一体的に組み込まれていたが、この実施の形態２では、可搬記録媒体６に記録された患者情報を一覧表示する外部モニタを受信器本体に対して着脱可能に接続し、この外部モニタに一覧表示された患者情報の中から受信器本体に登録する患者情報を選択するようにしている。
【００６１】
図５は、この発明の実施の形態２にかかる被検体内情報取得システムの一構成例を示す模式図である。図５に示すように、この実施の形態２にかかる被検体内情報取得システムは、上述した実施の形態１にかかる被検体内情報取得システムの受信装置３に代えて受信装置２３を有する。その他の構成は実施の形態１と同じであり、同一構成部分には同一符号を付している。
【００６２】
受信装置２３は、上述した受信アンテナ４ａ〜４ｈが接続された受信器本体２３ａと、例えばケーブル２３ｃ，２３ｄを介して受信器本体２３ａに着脱可能に接続される外部モニタ２３ｂとを有する。受信器本体２３ａは、ケーブル２３ｄを介して外部モニタ２３ｂから患者情報を受信し、この受信した患者情報をもとに初期設定する。この場合、受信器本体２３ａは、この患者情報によって特定される被検体の画像データを順次蓄積できるようになる。また、受信器本体２３ａは、上述した実施の形態１にかかる受信装置３の受信器本体３ａと同様に、検査対象の被検体１に装着され、受信アンテナ４ａ〜４ｈのいずれかを介してカプセル型内視鏡２から無線信号を受信し、この無線信号に含まれる画像データ、すなわちカプセル型内視鏡２によって撮像された画像データを順次蓄積する。
【００６３】
外部モニタ２３ｂは、カプセル型内視鏡２から受信器本体２３ａに受信された画像データをケーブル２３ｃを介して受信し、この画像データに基づく画像をモニタ表示する。また、外部モニタ２３ｂは、可搬記録媒体６に記録された１以上の患者情報を表示する外部表示手段として機能する。具体的には、外部モニタ２３ｂは、例えば複数の被検体の患者情報を消去可能に記録した可搬記録媒体６を着脱可能に接続し、この可搬記録媒体６に記録された複数の被検体の患者情報を読み取るとともに、この可搬記録媒体６内の複数の被検体の患者情報を一覧表示する。この場合、外部モニタ２３ｂは、一覧表示した複数の被検体の患者情報の中から選択された被検体の患者情報を受信器本体２３ａに送信する。その後、外部モニタ２３ｂは、受信器本体２３ａの指示に基づいて、この可搬記録媒体６内の登録済みの被検体の患者情報を消去する。
【００６４】
つぎに、この発明の実施の形態２にかかる受信装置２３の構成について説明する。図６は、この実施の形態２にかかる受信装置２３の一構成例を模式的に示すブロック図である。図６に示すように、この受信装置２３の受信器本体２３ａは、上述した実施の形態１にかかる受信装置３の受信器本体３ａの接続検知部１３に代えて接続検知部２５を有し、表示部１６に代えて表示部２６を有し、制御部１８に代えて制御部２８を有する。また、受信器本体２３ａは、通信部２４をさらに有し、ケーブル２３ｃ，２３ｄを介して外部モニタ２３ｂを着脱可能に接続する。この場合、可搬記録媒体６は、外部モニタ２３ｂに対して着脱可能に接続される。その他の構成は実施の形態１と同じであり、同一構成部分には同一符号を付している。
【００６５】
ケーブル２３ｃ，２３ｄは、例えばシリアル通信用のケーブルであり、ＵＳＢコネクタ等の所定のインターフェースを有する。具体的には、ケーブル２３ｃは、受信器本体２３ａの通信部２４と外部モニタ２３ｂの通信部３１とに対して着脱可能であって、かかる通信部２４と通信部３１とを通信可能に接続する。一方、ケーブル２３ｄは、受信器本体２３ａの通信部１２と外部モニタ２３ｂの通信部３２とに対して着脱可能であって、かかる通信部１２と通信部３２とを通信可能に接続する。
【００６６】
通信部２４は、ケーブル２３ｃを着脱可能に接続するインターフェースを有し、このケーブル２３ｃを介して外部モニタ２３ｂに画像データを送信する。具体的には、通信部２４は、受信回路９によって復調された画像信号を受信し、ケーブル２３ｃを介してこの画像信号を外部モニタ２３ｂにシリアル送信する。なお、この画像信号には、カプセル型内視鏡２によって撮像された画像データが含まれている。
【００６７】
接続検知部２５は、ケーブル２３ｃを介した通信部２４と外部モニタ２３ｂとの接続に伴う電気的な導通を検知することによって、通信部２４と外部モニタ２３ｂとがケーブル２３ｃを介して接続された旨を検知する。この場合、接続検知部２５は、通信部２４と外部モニタ２３ｂとの接続を検知すれば、この通信部２４と外部モニタ２３ｂとが接続された旨の接続検知結果を制御部２８に送信する。一方、接続検知部２５は、ケーブル２３ｄを介した通信部１２と外部モニタ２３ｂとの接続に伴う電気的な導通を検知することによって、通信部１２と外部モニタ２３ｂとがケーブル２３ｄを介して接続された旨を検知する。この場合、接続検知部２５は、通信部１２と外部モニタ２３ｂとの接続を検知すれば、この通信部１２と外部モニタ２３ｂとが接続された旨の接続検知結果を制御部２８に送信する。
【００６８】
表示部２６は、受信器本体２３ａに登録済みの被検体の患者情報を表示するためのものである。具体的には、表示部２６は、液晶または有機ＥＬ等のディスプレイを用いて実現され、制御部２８の制御に基づいて登録済みの被検体の患者情報を表示する。すなわち、表示部２６は、受信器本体２３ａに登録された現在の患者情報を検査者等に示すことができる。
【００６９】
制御部２８は、上述した実施の形態１の受信器本体３ａの制御部１８とほぼ同様の機能および構成を有し、受信器本体２３ａの各構成部の駆動を制御する。この場合、制御部２８は、上述した制御部１８と同様に、各構成部間の情報の入出力制御を行い、例えば表示部２６による表示動作、記憶部１７に対する情報保存動作または情報読み出し動作、通信部１２，２４の情報送受信動作等の制御を行う。また、制御部２８は、接続検知部２５の駆動を制御し、通信部２４と外部モニタ２３ｂとの接続検知結果または通信部１２と外部モニタ２３ｂとの接続検知結果を接続検知部２５から受信する。制御部２８は、通信部２４と外部モニタ２３ｂとの接続検知結果を受信した場合、受信回路９によって復調された画像信号を外部モニタ２３ｂに送信するように通信部２４を制御する。また、制御部２８は、通信部１２と外部モニタ２３ｂとの接続検知結果を受信した場合、受信器本体２３ａと外部モニタ２３ｂとの間で被検体の患者情報等の各種情報を送受信するように通信部１２を制御する。
【００７０】
また、制御部２８は、上述した初期化処理部１８ａを有する。この場合、初期化処理部１８ａは、ケーブル２３ｄを介して外部モニタ２３ｂから取得した被検体の患者情報をもとに、受信器本体２３ａを初期設定する初期化処理を行う。制御部２８は、この初期化処理によって受信器本体２３ａに登録された患者情報（登録済みの被検体の患者情報）を記憶部１７に保存する。
【００７１】
このように受信器本体２３ａが初期設定された場合、制御部２８は、上述した受信器本体３ａの制御部１８と同様に、カプセル型内視鏡２からの画像データをこの登録済みの患者情報に特定される被検体の画像データとして記憶部１７に順次蓄積する。また、制御部２８は、受信器本体２３ａが初期設定された場合、通信部１２を介して外部モニタ２３ｂに対し、登録済みの患者情報の消去処理を指示する指示情報（以下、消去指示情報と称する）を送信する。制御部２８は、このような消去指示情報を外部モニタ２３ｂに送信して、この外部モニタ２３ｂに接続された可搬記録媒体６内に残存する登録済みの被検体の患者情報を消去するよう外部モニタ２３ｂを制御する。このような制御部２８は、外部モニタ２３ｂの制御を通して可搬記録媒体６の消去処理を制御する。
【００７２】
なお、この消去指示情報は、外部モニタ２３ｂが可搬記録媒体６内に残存する登録済みの被検体の患者情報を消去する消去処理のトリガーとなる情報であればよく、例えば、この登録済みの被検体の患者情報を消去指示する情報であってもよいし、受信器本体２３ａの初期設定が完了した旨を外部モニタ２ｂに対して通知する情報であってもよい。
【００７３】
一方、受信装置２３の外部モニタ２３ｂは、図６に示すように、ケーブル２３ｃを介して受信器本体２３ａから画像信号を受信するための通信部３１と、ケーブル２３ｄを介して被検体の患者情報または消去指示情報を送受信する通信部３２と、可搬記録媒体６と外部モニタ２３ｂとの情報送受信を行う通信部３３とを有する。また、外部モニタ２３ｂは、受信器本体２３ａと通信部３１，３２との各接続および可搬記録媒体６と通信部３３との接続をそれぞれ検知する接続検知部３４と、制御部３８に対して指示する指示情報を入力する入力部３６と、カプセル型内視鏡２によって撮像された画像または可搬記録媒体６に記録された患者情報を表示する表示部３７とを有する。さらに、外部モニタ２３ｂは、外部モニタ２３ｂの各構成部の駆動を制御する制御部３８と、外部モニタ２３ｂの各構成部に駆動電力を供給する電源部３８とを有する。
【００７４】
通信部３１は、ケーブル２３ｃを着脱可能に接続するインターフェースを有し、このケーブル２３ｃを介して受信器本体２３ａから画像データを受信する。具体的には、通信部２４は、ケーブル２３ｃを介して受信器本体２３ａの通信部２４と通信可能に接続され、この通信部２４によって送信された画像信号を受信する。通信部３１は、この画像信号を制御部３８に送信する。なお、この画像信号には、カプセル型内視鏡２によって撮像された画像データが含まれている。
【００７５】
通信部３２は、ケーブル２３ｄを着脱可能に接続するインターフェースを有し、このケーブル２３ｃを介して受信器本体２３ａの通信部１２と通信可能に接続される。通信部３２は、制御部３８によって送信指示された被検体の患者情報を通信部２４に送信し、この被検体の患者情報を制御部２８に取得させる。また、通信部３２は、通信部１２を介して制御部２８からの消去指示情報を受信し、この消去指示情報を制御部３８に送信する。
【００７６】
通信部３３は、例えばＵＳＢコネクタ等の所定のインターフェースを有し、可搬記録媒体６のコネクタ６ａを接続した場合、外部モニタ２３ｂと可搬記録媒体６との信号の送受信を行う。この場合、通信部３３は、コネクタ６ａを介して接続された可搬記録媒体６に記録された被検体の患者情報を読み取る読取手段として機能する。通信部３３は、かかる可搬記録媒体６から読み取った被検体の患者情報を制御部３８に送信する。また、通信部３３は、可搬記録媒体６内の被検体の患者情報を消去指示する制御信号を制御部３８から受信し、受信した制御信号を可搬記録媒体６に送信する。この制御信号を受信した可搬記録媒体６は、保持している登録済みの被検体の患者情報を消去する。
【００７７】
接続検知部３４は、ケーブル２３ｃを介した通信部２４と通信部３１との接続に伴う電気的な導通を検知することによって、通信部２４と通信部３１とがケーブル２３ｃを介して接続された旨を検知する。これと同様に、接続検知部３４は、ケーブル２３ｄを介した通信部１２と通信部３２との接続に伴う電気的な導通を検知することによって、通信部１２と通信部３２とがケーブル２３ｄを介して接続された旨を検知する。また、接続検知部３４は、コネクタ６ａ等を介した可搬記録媒体６と通信部３３との接続に伴う電気的な導通を検知することによって、可搬記録媒体６と通信部３３とが接続された旨を検知する。このような接続検知部３４は、ケーブル２３ｃを介した通信部２４と通信部３１との接続を検知した場合、この通信部２４と通信部３１とが接続された旨の接続検知結果を制御部３８に送信し、ケーブル２３ｄを介した通信部１２と通信部３２との接続を検知した場合、この通信部１２と通信部３２とが接続された旨の接続検知結果を制御部３８に送信する。また、接続検知部３４は、コネクタ６ａ等を介した可搬記録媒体６と通信部３３との接続を検知した場合、この可搬記録媒体６と通信部３３とが接続された旨の接続検知結果を制御部３８に送信する。
【００７８】
入力部３６は、例えば複数の入力ボタン等を用いて実現され、操作者の入力操作に応じ、制御部３８に指示する指示情報等を入力する。この場合、入力部３６は、例えば、外部モニタ２３ｂを起動させる指示情報、制御部３８の制御モードを指示する指示情報、受信器本体２３ａに送信する被検体の患者情報を指示する指示情報等を制御部３８に入力する。
【００７９】
表示部３７は、制御部３８の制御に基づいて、可搬記録媒体６から読み取られた１以上の被検体の特定情報を一覧表示し、または、受信器本体２３ａから受信した画像データに基づく画像（すなわちカプセル型内視鏡２によって撮像された画像）をモニタ表示する。具体的には、表示部３７は、液晶または有機ＥＬ等のディスプレイを用いて実現され、制御部３８の制御に基づいて各種情報を表示する。例えば、表示部３７は、制御部３８によって入力された画像データをもとに、カプセル型内視鏡２によって撮像された画像をモニタ表示する。また、表示部３７は、制御部３８によって入力された１以上の患者情報をもとに、可搬記録媒体６内の１以上の被検体の患者情報を一覧表示する。検査者は、このような表示部３７の表示画面を視認することによって、カプセル型内視鏡２から受信器本体２３ａに受信された画像データを確認でき、または可搬記録媒体６内の１以上の患者情報の中から検査対象の被検体の患者情報を選択することができる。
【００８０】
制御部３８は、処理プログラムを実行するＣＰＵ（Central Processing Unit）と、処理プログラム等が予め記録されたＲＯＭと、各処理の演算パラメータまたは制御部１８に入力された各種入力情報等を記憶するＲＡＭとを用いて実現される。制御部３８は、入力部３６によって入力された指示情報に基づいて受信装置３の各構成部の駆動を制御する。この場合、制御部３８は、各構成部間の情報の入出力制御を行い、例えば表示部１６による表示動作、通信部３１〜３３の情報送受信動作等の制御を行う。また、制御部３８は、接続検知部３４の駆動を制御し、可搬記録媒体６と通信部３３との接続が行われた旨の接続検知結果を接続検知部３４から受信した場合、この可搬記録媒体６に記録された被検体の患者情報を読み取るよう通信部３３を制御する。この場合、制御部３８は、この通信部３３を介して可搬記録媒体６から１以上の被検体の患者情報を取得する。一方、制御部３８は、ケーブル２３ｃを介して通信部２４と通信部３１との接続が行われた旨の接続検知結果を接続検知部３４から受信した場合、通信部３１を介して画像信号を受信し、この画像信号に対して所定の画像処理を行って画像データを生成する。制御部３８は、このように生成した画像データを表示部３７に送信し、この画像データに基づく画像を表示部３７に表示させる。
【００８１】
また、制御部３８は、制御モードを画像表示モードまたは初期化モードに切り替えるモード切替部３８ａと、表示部３７に一覧表示させた１以上の患者情報の中から受信器本体２３ａに送信する患者情報を選択する情報選択部３８ｂと、受信器本体２３ａからの消去指示に基づいて可搬記録媒体６内の登録済みの被検体の患者情報を消去する消去処理部３８ｃとを有する。モード切替部３８ａは、入力部３６から入力されたモード指示情報に基づいて制御モードを画像表示モードまたは初期化モードに切り替える。なお、この画像表示モードは、カプセル型内視鏡２によって撮像された画像を表示部３７に表示させる制御モードである。また、この初期化モードは、受信器本体２３ａを初期設定するための被検体の患者情報を表示部３７に表示させ、この被検体の患者情報を受信器本体２３ａに取得させる制御モードである。
【００８２】
情報選択部３８ｂは、入力部３６から入力された選択指示情報に基づいて、表示部３７に一覧表示された１以上の被検体の患者情報の中から受信器本体２３ａに取得させる患者情報を選択する。なお、この選択指示情報は、操作者による入力部３６の入力操作に応じて制御部３８に入力される指示情報であって、表示部３７に一覧表示された１以上の被検体の患者情報の中から所望の被検体の患者情報を選択指示する指示情報である。制御部３８は、かかる情報選択部３８ｂによって選択された被検体の患者情報を受信器本体２３ａに送信するよう通信部３２を制御する。
【００８３】
消去処理部３８ｃは、受信器本体２３ａの制御部２８からの消去指示に基づいて、可搬記録媒体６内の登録済みの被検体の患者情報を消去する。具体的には、制御部３８は、通信部３２を介して制御部２８から上述した消去指示情報を受信する。消去処理部３８ｃは、この消去指示情報に基づいて、可搬記録媒体６に残存する登録済みの患者情報を消去指示する制御信号を生成し、通信部３３を介してこの制御信号を可搬記録媒体６に送信する。この場合、可搬記録媒体６は、この制御信号に基づいて、保持している登録済みの患者情報を消去する消去処理を行う。
【００８４】
つぎに、モード切替部３８ａによって制御モードを画像表示モードまたは初期化モードに切り替える制御部３８の動作について説明する。図７は、制御部３８の制御モードを選択するためのメニュー画面の一具体例を示す模式図である。
【００８５】
まず、制御部３８は、例えば図７に示すように、制御モードを選択するためのメニュー１００を表示部３７に表示させる。この場合、制御部３８は、通信部２４と通信部３１とが接続された旨の接続検知結果を受信していれば、通信部２４と通信部３１とが接続状態である旨を示す接続マーク１０３を表示させるとともに、画像表示モードを選択するための選択肢１０１をメニュー１００内に表示させる。また、制御部３８は、通信部１２と通信部３２とが接続された旨の接続検知結果と可搬記録媒体６と通信部３３とが接続された旨の接続検知結果とを受信していれば、通信部１２と通信部３２とが接続状態であり且つ可搬記録媒体６と通信部３３とが接続状態である旨を示す接続マーク１０４を表示させるとともに、初期化モードを選択するための選択肢１０２をメニュー１００内に表示させる。さらに、制御部３８は、電源部３９の駆動電力の残量を示す電源残量マーク１０５を表示部３７に表示させる。
【００８６】
つぎに、入力部３６は、メニュー１００の選択肢１０１，１０２のいずれかを選択指示する入力操作に応じて、画像表示モードを選択指示するモード指示情報または初期化モードを選択指示するモード指示情報を制御部３８に入力する。具体的には、入力部３６は、操作者によって選択肢１０１が選択された場合、画像表示モードを選択指示するモード指示情報を制御部３８に入力し、操作者によって選択肢１０２が選択された場合、初期化モードを選択指示するモード指示情報を制御部３８に入力する。
【００８７】
制御部３８は、このようなモード指示情報を入力部３６から入力され、取得したモード指示情報に基づいて、制御モードを画像表示モードまたは初期化モードに切り替える。この場合、モード切替部３８ａは、画像表示モードを選択指示するモード指示情報に基づいて制御モードを画像表示モードに切り替え、初期化モードを選択指示するモード指示情報に基づいて制御モードを初期化モードに切り替える。
【００８８】
画像表示モードに設定された制御部３８は、通信部３１を介して受信器本体２３ａから画像信号を受信し、この画像信号をもとに画像データを生成し、この画像データに基づく画像（すなわちカプセル型内視鏡２によって撮像された画像）を表示部３７に表示させる。なお、制御部３８は、カプセル型内視鏡２から受信器本体２３ａに取得された一連の画像を表示部３７に表示し終えた場合、表示部３７にメニュー１００を再度表示させる。
【００８９】
一方、初期化モードに設定された制御部３８は、通信部３３によって可搬記録媒体６から読み取られた１以上の被検体の患者情報を表示部３７に一覧表示させ、このように一覧表示された患者情報の中から受信器本体２３ａに登録させる被検体の患者情報を選択し、選択した被検体の患者情報を受信器本体２３ａに送信する。この場合、制御部３８は、この被検体の患者情報を受信器本体２３ａに送信するよう通信部３２を制御する。その後、制御部３８は、受信器本体２３ａの制御部２８から取得した消去指示情報に基づいて、可搬記録媒体６内の登録済みの被検体の患者情報を消去させる。なお、制御部３８は、このように可搬記録媒体６内の登録済みの被検体の患者情報を消去し終えた場合、表示部３７にメニュー１００を再度表示させる。
【００９０】
つぎに、初期化モードに設定された外部モニタ２３ｂの制御部３８の動作と、外部モニタ２３ｂから取得した被検体の患者情報をもとに受信器本体２３ａを初期設定する制御部２８の動作とを説明する。図８は、初期化モードに設定された外部モニタ２３ｂの制御部３８の処理手順と、外部モニタ２３ｂから取得した被検体の患者情報をもとに受信器本体２３ａを初期設定する制御部２８の処理手順とを例示するフローチャートである。
【００９１】
図８において、まず、外部モニタ２３ｂは、着脱可能に接続された可搬記録媒体６に記録されている１以上の被検体の患者情報を読み取り（ステップＳ２０１）、読み取った１以上の被検体の患者情報を一覧表示する（ステップＳ２０２）。この場合、制御部３８は、モード切替部３８ａによって初期化モードに設定され、通信部３３に接続された可搬記録媒体６に記録されている１以上の被検体の患者情報を読み取るよう通信部３３を制御し、この通信部３３を介して可搬記録媒体６から１以上の被検体の患者情報を取得する。そして、制御部３８は、このように取得した１以上の被検体の患者情報を表示部３７に一覧表示させる。
【００９２】
つぎに、外部モニタ２３ｂは、表示部３７に一覧表示された患者情報の中から所望の患者情報を選択指示する選択指示情報を入力したか否かを監視し、この選択指示情報を入力していなければ（ステップＳ２０３，Ｎｏ）、この選択指示情報の入力有無の監視を継続する。この場合、制御部３８は、入力部３６によって入力される選択指示情報の有無を監視し、入力部３６から選択指示情報が入力されるまで、この選択指示情報の入力有無の監視を継続する。
【００９３】
一方、外部モニタ２３ｂは、入力部３６の入力操作によって選択指示情報を入力した場合（ステップＳ２０３，Ｙｅｓ）、この選択指示情報によって選択指示された被検体の患者情報を受信器本体２３ａに送信する（ステップＳ２０４）。この場合、制御部３８は、入力部３６から選択指示情報を入力する。情報選択部３８ｂは、この選択指示情報によって選択指示された被検体の患者情報を表示部３７に一覧表示された患者情報の中から選択する。制御部３８は、かかる情報選択部３８ｂによって選択された被検体の患者情報を受信器本体２３ａに送信するよう通信部３２を制御する。これによって、この被検体の患者情報は、通信部１２，３２およびケーブル２３ｄを介して受信器本体２３ａの制御部２８に受信される。
【００９４】
その後、外部モニタ２３ｂは、可搬記録媒体６内に残存する登録済みの被検体の患者情報を消去指示する消去指示情報を受信器本体２３ａから受信したか否かを監視し、この消去指示情報を受信していなければ（ステップＳ２０５，Ｎｏ）、この消去指示情報の受信有無の監視を継続する。この場合、制御部３８は、通信部１２，３２およびケーブル２３ｄを介して受信器本体２３ａの制御部２８から受信する消去指示情報の有無を監視し、受信器本体２３ａの制御部２８から消去指示情報を受信するまで、この消去指示情報の受信有無の監視を継続する。
【００９５】
一方、受信器本体２３ａは、外部モニタ２３ｂから被検体の患者情報を受信したか否かを監視し、この被検体の患者情報を受信していなければ（ステップＳ３０１，Ｎｏ）、この被検体の患者情報の受信有無の監視を継続する。この場合、制御部２８は、通信部１２，３２およびケーブル２３ｄを介して外部モニタ２３ｂの制御部３８から受信する被検体の患者情報の有無を監視し、外部モニタ２３ｂの制御部３８から被検体の患者情報を受信するまで、この被検体の患者情報の受信有無の監視を継続する。
【００９６】
その後、受信器本体２３ａは、上述したステップＳ２０４の処理によって外部モニタ２３ｂから送信された被検体の患者情報を受信した場合（ステップＳ３０１，Ｙｅｓ）、この被検体の患者情報をもとに初期化処理を実行し（ステップＳ３０２）、この初期化処理によって登録された被検体の患者情報を保存する（ステップＳ３０３）。この場合、制御部２８は、通信部１２，３２およびケーブル２３ｄを介して外部モニタ２３ｂの制御部３８から被検体の患者情報を受信する。そして、制御部２８は、上述したステップＳ１０４，Ｓ１０５と同様に、この被検体の患者情報を受信器本体２３ａに登録し、この患者情報によって特定される被検体を検査対象として初期設定するとともに、この受信器本体２３ａに登録した患者情報を記憶部１７に保存する。
【００９７】
このように初期設定が完了した場合、受信器本体２３ａは、可搬記録媒体６内に残存する登録済みの被検体の患者情報を消去させる消去指示情報を外部モニタ２３ｂに送信する（ステップＳ３０４）。この場合、制御部２８は、受信器本体２３ａの初期設定が完了した旨を把握し、この消去指示情報を外部モニタ２３ｂに送信するよう通信部１２を制御する。これによって、この消去指示情報は、通信部１２，３２およびケーブル２３ｄを介して外部モニタ２３ｂの制御部３８に受信される。
【００９８】
一方、外部モニタ２３ｂは、上述したステップＳ３０４の処理によって受信器本体２３ａから送信された消去指示情報を受信した場合（ステップＳ２０５，Ｙｅｓ）、この消去指示情報に基づいて、可搬記録媒体６内の登録済みの被検体の患者情報を消去する。（ステップＳ２０６）。この場合、制御部３８は、通信部１２，３２およびケーブル２３ｄを介して受信器本体２３ａの制御部２８から消去指示情報を受信する。消去処理部３８ｃは、この消去指示情報に基づいて、可搬記録媒体６に残存する登録済みの被検体の患者情報（すなわち受信器本体２３ａに登録済みの患者情報と同一のもの）を消去させる制御信号を生成し、通信部３３を介してこの制御信号を可搬記録媒体６に送信する。これによって、可搬記録媒体６は、保持している１以上の患者情報の中から、この受信器本体２３ａに登録済みの患者情報を消去する。このように、受信器本体２３ａの制御部２８は、外部モニタ２３ｂの制御部３８に対する消去指示を通して、可搬記録媒体６内の登録済みの患者情報を消去する消去処理を制御する。
【００９９】
つぎに、カプセル型内視鏡２を導入する検査対象の被検体１に受信装置２３を装着させる場合を例示して、この実施の形態２にかかる被検体内情報取得システムの各構成部の作用について具体的に説明する。図９は、可搬記録媒体６に記録された複数の被検体の患者情報の中から検査対象の被検体１の患者情報を受信器本体２３ａに登録して受信器本体２３ａを初期設定する状態を例示する模式図である。図１０は、外部モニタ２３ｂの表示部３７に患者情報を一覧表示した状態を例示する模式図である。以下、図９，１０を参照しつつ、この実施の形態２にかかる被検体内情報取得システムの各構成部の作用について説明する。
【０１００】
可搬記録媒体６は、例えば医局Ｒ１に配置されている画像表示装置５に着脱可能に接続され、検査対象の被検体１の患者情報Ａを含む複数の被検体の患者情報を消去可能に記録する。この場合、可搬記録媒体６は、画像表示装置５によって一元管理されている複数の被検体の患者情報（患者情報Ａ，Ｂ，Ｃ，Ｄ…）の中から、例えば複数の被検体の患者情報Ａ，Ｂ，Ｃを消去可能に記録する。画像表示装置５は、例えば複数の患者情報Ａ，Ｂ，Ｃを可搬記録媒体６に書き込んだ場合、この可搬記録媒体６によって複数の患者情報Ａ，Ｂ，Ｃが持ち出された旨を示すフラグを患者情報Ａ，Ｂ，Ｃ（すなわち一元管理する元の患者情報Ａ，Ｂ，Ｃ）にそれぞれ付する。
【０１０１】
一方、複数の被検体の患者情報Ａ，Ｂ，Ｃを消去可能に記録した可搬記録媒体６は、まず、被検体１が待機する検査室Ｒ２に運ばれる。検査室Ｒ２に待機中の被検体１には、カプセル型内視鏡２によって撮像された画像データを蓄積する受信装置２３を装着される。この場合、受信アンテナ４ａ〜４ｈが被検体１の体表上に分散配置され、かかる受信アンテナ４ａ〜４ｈが接続される受信器本体２３ａが例えば被検体１の胴体に装着される。さらに、外部モニタ２３ｂが、ケーブル２３ｃ，２３ｄを介して受信器本体２３ａに着脱可能に接続される。このような受信装置２３は、被検体１に装着されることによって、被検体１の画像データを蓄積するためのものとして一意的に決定される。
【０１０２】
なお、被検体１に装着させる受信装置２３の受信器本体２３ａは、上述した実施の形態１にかかる受信装置３の場合と同様に、所定の動作確認が予め行われたものである。また、この受信器本体２３ａに接続される外部モニタ２３ｂは、正常に動作可能であることを予め確認されたものである。
【０１０３】
ここで、複数の被検体の患者情報Ａ，Ｂ，Ｃを消去可能に記録した可搬記録媒体６は、被検体１に装着させる受信装置２３に着脱可能に接続される。具体的には、この可搬記録媒体６は、被検体１に受信装置２３を装着させる際、または被検体１に受信装置２３を装着させた後、この受信装置２３の外部モニタ２３ｂに着脱可能に接続される。この場合、外部モニタ２３ｂの制御部３８は、上述したステップＳ２０１〜Ｓ２０６の処理手順を行い、受信器本体２３ａの制御部２８は、上述したステップＳ３０１〜３０４の処理手順を行う。
【０１０４】
具体的には、外部モニタ２３ｂは、初期化モードに設定され、可搬記録媒体６に記録された複数の被検体の患者情報Ａ，Ｂ，Ｃを読み取るとともに、これら複数の被検体の患者情報Ａ，Ｂ，Ｃを表示部３７に一覧表示する。この場合、表示部３７は、例えば図１０に示すように、可搬記録媒体６から読み取られた複数の患者情報を示す患者情報一覧１１０を表示する。検査者は、かかる患者情報一覧１１０を視認することによって、この受信器本体２３ａを装着させる被検体１の患者情報Ａが含まれているか否かを容易に確認できる。なお、表示部３７は、患者情報一覧１１０とともに、上述した接続マーク１０３，１０４および電源残量マーク１０５をさらに表示する。
【０１０５】
この患者情報一覧１１０に被検体１の患者情報Ａが含まれている場合、検査者は、図１０に示すように、この患者情報一覧１１０の中から被検体１の患者情報Ａを選択指示する選択指示情報の入力操作を行う。この場合、外部モニタ２３ｂの入力部３６は、この患者情報Ａを選択指示する選択指示情報を制御部３８に入力する。制御部３８は、この入力部３６によって入力された選択指示情報をもとに、患者情報一覧１１０の中から患者情報Ａを選択し、選択した患者情報Ａを受信器本体２３ａの制御部２８に取得させる。
【０１０６】
かかる外部モニタ２３ｂによって送信された患者情報Ａを受信した受信器本体２３ａの制御部２８は、この取得した患者情報Ａを検査対象の被検体１の患者情報として更新し、受信器本体２３ａに患者情報Ａを登録する。この場合、制御部２８は、この患者情報Ａを記憶部１７に保存し、この登録済みの患者情報Ａを表示部２６に表示させる。検査者は、この受信器本体２３ａの表示部２６に表示された患者情報Ａを視認することによって、受信器本体２３ａに登録された患者情報と受信器本体２３ａを装着させる被検体とが合致しているか否かを容易に確認できる。
【０１０７】
また、受信器本体２３ａの制御部２８は、外部モニタ２３ｂに接続された可搬記録媒体６に残存する登録済みの患者情報Ａの消去処理を制御する。この場合、制御部２８は、この可搬記録媒体６内の登録済みの患者情報Ａを消去指示する消去指示情報を外部モニタ２３ｂの制御部３８に送信する。外部モニタ２３ｂの制御部３８は、かかる制御部２８から受信した消去指示情報に基づいて、可搬記録媒体６内の登録済みの患者情報Ａを消去する。この場合、可搬記録媒体６は、複数の被検体の患者情報Ａ，Ｂ，Ｃの中から登録済みの患者情報Ａを消去する。
【０１０８】
その後、残りの患者情報Ｂ，Ｃを消去可能に保持している可搬記録媒体６は、外部モニタ２３ｂから取り外され、この患者情報Ｂ，Ｃによってそれぞれ特定される各被検体の受信装置に順次接続される。この場合、可搬記録媒体６は、各受信装置に対して被検体に合致する患者情報を順次供給する。このように、可搬記録媒体６は、複数の受信装置に対して順次供給する複数の患者情報を消去可能に記録することによって、例えば医局Ｒ１の画像表示装置５から患者情報を持ち出す回数を減らすことができ、被検体に装着させる受信装置に対して患者情報を供給する作業の煩雑さを軽減することができる。
【０１０９】
一方、このような患者情報Ａをもとに初期設定された受信器本体２３ａは、カプセル型内視鏡２から受信した画像データを被検体１の画像データとして蓄積するようになる。また、この受信器本体２３ａは、上述したように、この患者情報Ａによって特定される被検体１に装着され、この被検体１に対して一意的に決定されている。したがって、この被検体１の内部にカプセル型内視鏡２が導入された場合、受信器本体２３ａは、検査対象の被検体１と他の被検体とを取り違えることなく、このカプセル型内視鏡２によって撮像された画像データをこの被検体１の画像データとして正しく蓄積できる。
【０１１０】
その後、この受信器本体２３ａに蓄積された被検体１の画像データは、この受信器本体２３ａまたは携帯型記録媒体を媒介にして、上述した医局Ｒ１の画像表示装置５に取り込まれる。この場合、画像表示装置５は、上述した実施の形態１の場合と同様に、可搬記録媒体６によって持ち出された患者情報Ａが画像データとともに戻されたことを把握し、一元管理している元の患者情報Ａに付したフラグを削除する。このことは、可搬記録媒体６によって持ち出された患者情報Ｂ，Ｃについても同様である。
【０１１１】
以上、説明したように、この発明の実施の形態２では、１以上の被検体の患者情報を消去可能に記録した可搬記録媒体を媒介にして、この可搬記録媒体に記録された１以上の被検体の患者情報を取得するとともに一覧表示し、一覧表示した１以上の被検体の患者情報の中から所望の被検体の患者情報を選択し、この選択した被検体の患者情報を受信器本体に登録するようにし、さらに、この可搬記録媒体に残存する１以上の被検体の患者情報の中から、この受信器本体に登録済みの患者情報を消去するように構成した。このため、上述した実施の形態１と同様の作用効果を享受するとともに、この可搬記録媒体に複数の被検体の患者情報を消去可能に記録することによって、受信器本体に患者情報を登録させる作業の煩雑さを軽減することができる。
【０１１２】
（実施の形態３）
つぎに、この発明の実施の形態３について説明する。上述した実施の形態２では、被検体の患者情報を消去可能に記録した可搬記録媒体６を外部モニタ２３ｂに着脱可能に接続し、外部モニタ２３ｂを介して可搬記録媒体６内の患者情報を受信器本体２３ａに取得させていたが、この実施の形態３では、被検体の患者情報を消去可能に記録する記録媒体を外部モニタに配置し、この外部モニタの記録媒体を媒介にして受信器本体に被検体の患者情報を供給するようにしている。
【０１１３】
図１１は、この発明の実施の形態３にかかる被検体内情報取得システムの一構成例を示す模式図である。図１１に示すように、この実施の形態３にかかる被検体内情報取得システムは、上述した実施の形態２にかかる被検体内情報取得システムの受信装置２３に代えて受信装置４３を有し、可搬記録媒体６に代えて受信装置４３の外部モニタ４３ｂを媒介にして被検体の患者情報を受信器本体２３ａに取得させている。その他の構成は実施の形態２と同じであり、同一構成部分には同一符号を付している。
【０１１４】
受信装置４３は、上述した受信アンテナ４ａ〜４ｈが接続された受信器本体２３ａと、この受信器本体２３ａに対して着脱可能に接続される外部モニタ４３ｂとを有する。外部モニタ４３ｂは、上述した実施の形態２にかかる受信装置２３の外部モニタ２３ｂと同様に、ケーブル２３ｃ，２３ｄを介して受信器本体２３ａに着脱可能に接続される。また、外部モニタ４３ｂは、１以上の被検体の患者情報を消去可能に記録する情報記録機能と、保持している１以上の被検体の患者情報を表示する表示機能とを有する。すなわち、外部モニタ４３ｂは、受信器本体２３ａに登録させる被検体の患者情報を表示する外部表示手段として機能するとともに、この被検体の患者情報を消去可能に記録する可搬の記録媒体としても機能する。
【０１１５】
つぎに、この発明の実施の形態３にかかる受信装置４３の構成について説明する。図１２は、この実施の形態３にかかる受信装置４３の一構成例を模式的に示すブロック図である。図１２に示すように、受信装置４３は、上述した実施の形態２にかかる受信装置２３の外部モニタ２３ｂの通信部３３に代えて記憶部４４を有する。その他の構成は実施の形態２と同じであり、同一構成部分には同一符号を付している。
【０１１６】
記憶部４４は、ＨＤＤまたはフラッシュメモリ等の消去可能に情報を記録する記録手段を用いて実現され、制御部３８によって記録指示された情報を消去可能に保存する。具体的には、制御部３８は、所定のケーブル等を介して画像表示装置５と通信部３２とが接続された場合、画像表示装置５によって一元管理されている１以上の被検体の患者情報を取得する。そして、制御部３８は、かかる画像表示装置５から取得した１以上の被検体の患者情報を記憶部４４に保存させる。この場合、記憶部４４は、かかる制御部３８によって記録指示された１以上の被検体の患者情報を消去可能に保存する。このような記憶部４４は、外部モニタ４３ｂが可搬であるため、画像表示装置５と受信器本体２３ａとの間での被検体の患者情報の受け渡しを行う可搬な記録媒体として機能する。
【０１１７】
このような外部モニタ４３ｂの制御部３８は、ケーブル２３ｄを介して通信部１２と通信部３２とが接続された旨の接続検知結果を接続検知部３４から受信した場合、この通信部１２と通信部３２とが接続状態である旨を示す接続マークを表示部３７に表示させるとともに、上述した初期化モードの選択肢１０２を表示部３７に表示させる。また、制御部３８は、記憶部４４から読み出した１以上の被検体の患者情報を表示部３７に一覧表示させ、上述した実施の形態２の場合と同様に、受信器本体２３ａに取得させる被検体の患者情報を選択する。さらに、制御部３８は、受信器本体２３ａの制御部１８から受信した消去指示情報に基づいて、記憶部４４に残存する登録済みの被検体の患者情報を消去する。
【０１１８】
以上、説明したように、この発明の実施の形態３では、上述した実施の形態２とほぼ同様の機能を有し、被検体の患者情報を消去可能に記録する記録媒体を可搬な外部モニタに配置し、この外部モニタの記録媒体を媒介にして受信器本体に被検体の患者情報を供給するように構成している。このため、上述した実施の形態２と同様の作用効果を享受するとともに、受信器本体に被検体の患者情報を供給する前に、記録媒体に消去可能に記録されている被検体の患者情報を容易に確認することができる。
【０１１９】
（実施の形態４）
つぎに、この発明の実施の形態４について説明する。上述した実施の形態２では、入力部３６によって入力された選択指示情報をもとに、表示部３７に一覧表示された被検体の患者情報の中から所望の被検体の患者情報を選択していたが、この実施の形態４では、被検体に装着させたＲＦＩＤタグに記録させた患者情報を読み取り、表示部３７に一覧表示された被検体の患者情報の中からこの読み取った患者情報に合致するものを選択するようにしている。
【０１２０】
図１３は、この発明の実施の形態４にかかる被検体内情報取得システムの一構成例を示す模式図である。図１３に示すように、この実施の形態４にかかる被検体内情報取得システムは、上述した実施の形態２にかかる被検体内情報取得システムの受信装置２３に代えて受信装置５３を有する。また、検査対象の被検体１には、被検体１の患者情報Ａが記録されたＲＦＩＤタグ１２１を取り付けたリストバンド１２０が装着される。その他の構成は実施の形態２と同じであり、同一構成部分には同一符号を付している。
【０１２１】
受信装置５３は、上述した受信アンテナ４ａ〜４ｈが接続された受信器本体２３ａと、この受信器本体２３ａに対して着脱可能に接続される外部モニタ５３ｂとを有する。外部モニタ５３ｂは、上述した実施の形態２にかかる受信装置２３の外部モニタ２３ｂと同様に、ケーブル２３ｃ，２３ｄを介して受信器本体２３ａに着脱可能に接続され、コネクタ６ａ等を介して可搬記録媒体６を着脱可能に接続する。また、外部モニタ５３ｂは、例えば被検体１に装着させたリストバンド１２０のＲＦＩＤタグ１２１に記録された患者情報（すなわち被検体１の患者情報）を読み取るＲＦＩＤ読取機能を有する。
【０１２２】
つぎに、この発明の実施の形態４にかかる受信装置５３の構成について説明する。図１４は、この実施の形態４にかかる受信装置５３の一構成例を模式的に示すブロック図である。図１４に示すように、受信装置５３は、上述した実施の形態２にかかる受信装置２３の外部モニタ２３ｂの制御部３８に代えて制御部５８を有し、ＲＦＩＤ処理部５４とアンテナ５５とをさらに有する。その他の構成は実施の形態２と同じであり、同一構成部分には同一符号を付している。
【０１２３】
ＲＦＩＤ処理部５４は、例えば被検体１に装着させたリストバンド１２０のＲＦＩＤタグ１２１に記録された患者情報を読み取るＲＦＩＤ読取手段として機能する。具体的には、ＲＦＩＤ処理部５４は、アンテナ５５が接続され、アンテナ５５に電力を供給することによって、アンテナ５５とＲＦＩＤタグ１２１との間で電波を送受信させる。ＲＦＩＤ処理部５４は、このような電波を介してＲＦＩＤタグ１２１から被検体１の患者情報を読み取る。ＲＦＩＤ処理部５４は、ＲＦＩＤタグ１２１から読み取った被検体１の患者情報を制御部５８に送信する。
【０１２４】
制御部５８は、上述した実施の形態２の外部モニタ２３ｂの制御部３８とほぼ同様の機能を有し、さらに、入力部３６によって入力された指示情報に基づいてＲＦＩＤ処理部５４の駆動を制御する。また、制御部５８は、ＲＦＩＤ処理部５４から受信した患者情報をもとに、受信器本体２３ａに取得させる患者情報を選択する。このような制御部５８は、上述したモード切替部３８ａと消去処理部３８ｃとを有し、上述した情報選択部３８ｂに代えて情報選択部５８ｂを有する。
【０１２５】
情報選択部５８ｂは、ＲＦＩＤ処理部５４によって読み取られた患者情報をもとに、表示部３７に一覧表示された１以上の被検体の患者情報の中から受信器本体２３ａに取得させる患者情報を選択する。この場合、情報選択部５８ｂは、表示部３７に一覧表示された１以上の被検体の患者情報のうち、このＲＦＩＤ処理部５４によって読み取られた患者情報に合致するものを選択する。制御部５８は、かかる情報選択部５８ｂによって選択された被検体の患者情報を受信器本体２３ａに取得させる。
【０１２６】
つぎに、初期化モードに設定された外部モニタ５３ｂの制御部５８の動作と、外部モニタ５３ｂから取得した被検体の患者情報をもとに受信器本体２３ａを初期設定する制御部２８の動作とを説明する。図１５は、初期化モードに設定された外部モニタ５３ｂの制御部５８の処理手順と、外部モニタ５３ｂから取得した被検体の患者情報をもとに受信器本体２３ａを初期設定する制御部２８の処理手順とを例示するフローチャートである。図１６は、外部モニタ５３ｂがリストバンド１２０のＲＦＩＤタグ１２１に記録された患者情報を読み取る状態を例示する模式図である。
【０１２７】
図１５において、まず、外部モニタ５３ｂは、上述したステップＳ２０１，Ｓ２０２と同様に、可搬記録媒体６に記録されている１以上の被検体の患者情報を読み取り、読み取った１以上の被検体の患者情報を表示部３７に一覧表示する（ステップＳ４０１，Ｓ４０２）。つぎに、外部モニタ５３ｂは、被検体１に装着させたリストバンド１２１のＲＦＩＤタグ１２１から患者情報を読み取らせる指示情報（以下、読取指示情報と称する）を入力したか否かを監視し、この読取指示情報を入力していなければ（ステップＳ４０３，Ｎｏ）、この読取指示情報の入力有無の監視を継続する。この場合、制御部５８は、入力部３６によって入力される読取指示情報の有無を監視し、入力部３６から読取指示情報が入力されるまで、この読取指示情報の入力有無の監視を継続する。
【０１２８】
一方、外部モニタ５３ｂは、入力部３６の入力操作によって読取指示情報を入力した場合（ステップＳ４０３，Ｙｅｓ）、この読取指示情報に基づいて、ＲＦＩＤタグ１２１に記録された患者情報を読み取る（ステップＳ４０４）。具体的には、外部モニタ５３ｂは、図１６に示すように、被検体１に装着させたリストバンド１２０の近傍に把持され、このリストバンド１２０のＲＦＩＤタグ１２１に記録された被検体１の患者情報Ａを読み取る。この場合、制御部５８は、入力部３６から読取指示情報を入力し、この読取指示情報に基づいてＲＦＩＤ処理部５４の駆動を制御し、ＲＦＩＤタグ１２１に記録された患者情報ＡをＲＦＩＤ処理部５４に読み取らせる。制御部５８は、このＲＦＩＤ処理部５４によって読み取られた患者情報Ａを取得する。
【０１２９】
つぎに、外部モニタ５３ｂは、このＲＦＩＤタグ１２１から読み取った患者情報をもとに、表示部３７に一覧表示された１以上の被検体の患者情報の中から受信器本体２３ａに取得させる患者情報を選択し、選択した患者情報を受信器本体２３ａに送信する（ステップＳ４０５）。この場合、情報選択部５８ｂは、表示部３７に一覧表示された１以上の被検体の患者情報（例えば患者情報Ａ，Ｂ，Ｃ）のうち、このＲＦＩＤ処理部５４によって読み取られた患者情報に合致する患者情報Ａを選択する。制御部５８は、かかる情報選択部５８ｂによって選択された被検体１の患者情報Ａを受信器本体２３ａに送信するよう通信部３２を制御する。これによって、この被検体１の患者情報Ａは、通信部１２，３２およびケーブル２３ｄを介して受信器本体２３ａの制御部２８に受信される。
【０１３０】
その後、外部モニタ５３ｂは、上述したステップＳ２０５，Ｓ２０６と同様に、受信器本体２３ａから上述した消去指示情報を受信したか否かを監視し、受信器本体２３ａから消去指示情報を受信した場合、この消去指示情報に基づいて、可搬記録媒体６内の登録済みの被検体の患者情報を消去する。（ステップＳ４０６，Ｓ４０７）。
【０１３１】
なお、この発明の実施の形態４では、被検体の患者情報を記録させたＲＦＩＤタグをリストバンドに取り付けていたが、この発明はこれに限定されるものではなく、被検体の患者情報を記録させたＲＦＩＤタグは、被検体に携帯させるカードまたはケース等の携帯物に取り付けられてもよいし、衣服またはベルト等の被検体に装着させる装着物に取り付けられてもよい。すなわち、このＲＦＩＤタグは、この被検体に対して一意的に決定されていればよい。
【０１３２】
また、この発明の実施の形態４では、受信器本体に着脱可能に接続される外部モニタにＲＦＩＤ処理部およびアンテナを配置していたが、この発明はこれに限定されるものではなく、ＲＦＩＤタグに記録された被検体の患者情報を読み取るＲＦＩＤ処理部およびアンテナを受信器本体に配置してもよい。この場合、上述した実施の形態１にかかる受信装置３の受信器本体３ａにＲＦＩＤ処理部およびアンテナを配置し、このＲＦＩＤ処理部によって読み取られた患者情報をもとに、受信器本体３ａに登録する患者情報を選択するように構成すればよい。
【０１３３】
以上、説明したように、この発明の実施の形態４では、上述した実施の形態２とほぼ同様の機能を有し、また、被検体に対して一意的に決定されたＲＦＩＤタグに記録された患者情報を読み取り、一覧表示した１以上の被検体の患者情報の中からこの読み取った患者情報に合致する被検体の患者情報を選択し、選択した被検体の患者情報を受信器本体に登録させるように構成した。このため、上述した実施の形態２と同様の作用効果を享受するとともに、一覧表示した１以上の被検体の患者情報の中から受信器本体に登録させる被検体の患者情報を容易に選択することができる。
【０１３４】
（実施の形態５）
つぎに、この発明の実施の形態５について説明する。上述した実施の形態２では、ケーブル２３ｄを介して受信器本体２３ａと外部モニタ２３ｂとの間での患者情報の送受信を行っていたが、この実施の形態５では、受信器本体と外部モニタとの間で赤外線通信を行って患者情報を送受信するようにしている。
【０１３５】
図１７は、この発明の実施の形態５にかかる被検体内情報取得システムの一構成例を示す模式図である。図１７に示すように、この実施の形態５にかかる被検体内情報取得システムは、上述した実施の形態２にかかる被検体内情報取得システムの受信装置２３に代えて受信装置６３を有する。その他の構成は実施の形態２と同じであり、同一構成部分には同一符号を付している。
【０１３６】
受信装置６３は、上述した受信アンテナ４ａ〜４ｈが接続された受信器本体６３ａと、この受信器本体６３ａに対して着脱可能に接続される外部モニタ６３ｂとを有する。受信器本体６３ａは、上述した実施の形態２にかかる受信装置２３の受信器本体２３ａと同様に、検査対象の被検体１に装着され、受信アンテナ４ａ〜４ｈのいずれかを介してカプセル型内視鏡２からの無線信号を受信し、受信した無線信号に含まれる画像データ、すなわちカプセル型内視鏡２によって撮像された画像データを順次蓄積する。また、受信器本体６３ａは、上述したケーブル２３ｃを介して外部モニタ６３ｃを着脱可能に接続し、このケーブル２３ｃを介して画像信号を外部モニタ６３ｃに送信する。
【０１３７】
外部モニタ６３ｂは、上述した実施の形態２にかかる受信装置２３の外部モニタ２３ｂと同様に、ケーブル２３ｃを介して受信器本体６３ａから画像信号を受信し、受信した画像信号をもとに画像データを生成し、得られた画像データに基づいた画像（すなわちカプセル型内視鏡２によって撮像された画像）をモニタ表示する。また、外部モニタ６３ｂは、可搬記録媒体６を着脱可能に接続し、この可搬記録媒体６に記録された１以上の被検体の患者情報を読み取り、読み取った１以上の被検体の患者情報を一覧表示する。
【０１３８】
このような受信器本体６３ａおよび外部モニタ６３ｂは、被検体の患者情報または消去指示情報を送受信する赤外線通信機能を有する。この場合、外部モニタ６３ｂは、一覧表示した１以上の被検体の患者情報の中から選択指示された患者情報を赤外線通信によって受信器本体６３ａに送信する。受信器本体６３ａは、この赤外線通信によって被検体の患者情報を受信し、上述した実施の形態２にかかる受信装置２３の受信器本体２３ａと同様に、受信した被検体の患者情報をもとに初期設定する。また、受信器本体６３ａは、上述した消去指示情報を赤外線通信によって外部モニタ６３ｂに送信する。外部モニタ６３ｂは、この赤外線通信によって消去指示情報を受信し、上述した実施の形態２にかかる受信装置２３の外部モニタ２３ｂと同様に、この消去指示情報に基づいて可搬記録媒体６内の登録済みの患者情報を消去する。
【０１３９】
つぎに、この発明の実施の形態５にかかる受信装置６３の構成について説明する。図１８は、この実施の形態５にかかる受信装置６３の一構成例を模式的に示すブロック図である。図１８に示すように、受信装置６３は、上述したように、受信器本体６３ａと外部モニタ６３ｂとを有する。受信器本体６３ａは、上述した実施の形態２の受信器本体２３ａの通信部１２に代えて赤外線通信部６４を有し、制御部２８に代えて制御部６６を有する。一方、外部モニタ６３ｂは、上述した実施の形態２の外部モニタ２３ｂの通信部３２代えて赤外線通信部６５を有し、制御部３８に代えて制御部６７を有する。その他の構成は実施の形態２と同じであり、同一構成部分には同一符号を付している。
【０１４０】
赤外線通信部６４，６５は、受信器本体６３ａと外部モニタ６３ｂとの間で赤外線通信を行う赤外線通信手段として機能する。具体的には、赤外線通信部６５は、制御部６７によって送信指示された被検体の患者情報を赤外線通信によって赤外線通信部６４に送信する。この場合、赤外線通信部６４は、かかる赤外線通信部６５によって送信された被検体の患者情報を受信し、受信した被検体の患者情報を制御部６６に送信する。一方、赤外線通信部６４は、制御部６６によって送信指示された消去指示情報を赤外線通信によって赤外線通信部６５に送信する。この場合、赤外線通信部６５は、かかる赤外線通信部６４によって送信された消去指示情報を受信し、受信した消去指示情報を制御部６７に送信する。
【０１４１】
受信器本体６３ａの制御部６６は、上述した実施の形態２の受信器本体２３ａの制御部２８と同様の機能を有し、上述した通信部１２に代えて赤外線通信部６４の駆動を制御する。なお、接続検知部２５は、かかる制御部６６の制御に基づいて、通信部２４と通信部３１との接続状態を検知し、この接続検知結果を制御部６６に送信する。
【０１４２】
外部モニタ６３ｂの制御部６７は、上述した実施の形態２の外部モニタ２３ｂの制御部３８と同様の機能を有し、上述した通信部３２に代えて赤外線通信部６５の駆動を制御する。なお、接続検知部３４は、かかる制御部６７の制御に基づいて、通信部２４，３１の接続状態および可搬記録媒体６と通信部３３との接続状態をそれぞれ検知し、各接続検知結果を制御部６７に送信する。このような外部モニタ６３ｂの制御部６７は、可搬記録媒体６と通信部３３とが接続された旨の接続検知結果を接続検知部３４から受信した場合、可搬記録媒体６と通信部３３とが接続状態である旨を示す接続マークを表示部３７に表示させるとともに、上述した初期化モードの選択肢１０２を表示部３７に表示させる。
【０１４３】
以上、説明したように、この発明の実施の形態５では、上述した実施の形態２と同様の機能を有し、ケーブルを介した有線通信に代えて赤外線通信によって、受信器本体と外部モニタとの間で被検体の患者情報または消去指示情報を送受信するように構成した。このため、上述した実施の形態２と同様の作用効果を享受するとともに、ケーブルを着脱可能に接続するコネクタの配置数を減らすことができ、受信器本体および外部モニタの防滴性を容易に確保することができる。
【０１４４】
（実施の形態６）
つぎに、この発明の実施の形態６について説明する。この実施の形態６では、上述した実施の形態２にかかる受信装置２３と同様の機能を有し、所望の情報を被検体に通知するための印刷物を出力するプリンタ機能を追加した受信装置にしている。
【０１４５】
図１９は、この発明の実施の形態６にかかる被検体内情報取得システムの一構成例を示す模式図である。図１９に示すように、この実施の形態６にかかる被検体内情報取得システムは、上述した実施の形態２にかかる被検体内情報取得システムの受信装置２３に代えて受信装置７３を有する。その他の構成は実施の形態２と同じであり、同一構成部分には同一符号を付している。
【０１４６】
受信装置７３は、上述した受信アンテナ４ａ〜４ｈが接続された受信器本体２３ａと、この受信器本体２３ａに対して着脱可能に接続される外部モニタ７３ｂとを有する。外部モニタ７３ｂは、上述した実施の形態２にかかる受信装置２３の外部モニタ２３ｂと同様に、ケーブル２３ｃ，２３ｄを介して受信器本体２３ａに着脱可能に接続される。また、外部モニタ４３ｂは、上述した実施の形態２にかかる受信装置２３の外部モニタ２３ｂと同様の機能を有し、さらに、被検体に対して所望の情報を通知するための印刷物を出力するプリンタ機能を有する。
【０１４７】
つぎに、この発明の実施の形態６にかかる受信装置７３の構成について説明する。図２０は、この実施の形態６にかかる受信装置７３の一構成例を模式的に示すブロック図である。図２０に示すように、受信装置７３は、上述した実施の形態２にかかる受信装置２３の外部モニタ２３ｂの制御部３８に代えて制御部７８を有し、プリンタ７４をさらに有する。その他の構成は実施の形態２と同じであり、同一構成部分には同一符号を付している。
【０１４８】
プリンタ７４は、受信装置７３を装着させる被検体に対して所望の情報を通知するための印刷物を出力する。具体的には、プリンタ７４は、制御部７８によって出力指示された情報を例えば紙等の媒体に印字し、この情報が印字されたプリント紙等の印刷物を出力する。なお、このような印刷物に示される情報として、例えば、被検体に対する注意事項、禁止事項、および受信装置７３の返却時間（すなわち検査完了時間）等が挙げられる。
【０１４９】
制御部７８は、上述した実施の形態２の外部モニタ２３ｂの制御部３８と同様の機能を有する。また、制御部７８は、入力部３６によって入力される指示情報に基づいてプリンタ７４の駆動を制御する。具体的には、制御部７８は、被検体に対して通知する所望の情報が予め設定され、印刷物を出力指示する指示情報が入力部３６によって入力された場合、この所望の情報が印字された印刷物を出力するようプリンタ７４を制御する。このようにして、制御部７８は、例えば被検体に対する注意事項、禁止事項、および受信装置７３の返却時間（検査完了時間）等が印字された印刷物をプリンタ７４に出力させる。なお、制御部７８は、受信装置７３の返却時間等が印字された印刷物をプリンタ７４に出力させる場合、現在の時刻をもとにカプセル型内視鏡２が被検体の外部に排出される時刻（検査完了時刻）を算出し、この検査完了時刻を返却時間として印刷物に印字させる。
【０１５０】
このような制御部７８によって制御されたプリンタ７４は、図２１に示すように、例えば被検体１の患者情報Ａ、被検体１に対する禁止事項、および受信装置７３の返却時間を示すプリント紙１３０を出力できる。このプリント紙１３０は、受信装置７３を装着させた被検体１に渡され、この被検体１に対してこれらの情報を通知する。このように、プリンタ７４は、被検体に対して所望の情報を通知する印刷物を出力できる。
【０１５１】
なお、この発明の実施の形態６では、外部モニタにプリンタを配置していたが、この発明はこれに限定されるものではなく、受信器本体にプリンタを配置してもよい。この場合、受信器本体の制御部は、このプリンタの駆動を制御する機能をさらに備えればよい。
【０１５２】
以上、説明したように、この発明の実施の形態６では、上述した実施の形態２と同様の機能を有し、さらに、被検体に対して通知する所望の情報を印字した印刷物を出力するように構成した。このため、上述した実施の形態２と同様の作用効果を享受するとともに、被検体に対する注意事項、禁止事項、受信装置の返却時間等の所望の情報を被検体に対して容易に通知することができる。
【０１５３】
なお、上述した実施の形態１，２および実施の形態４〜６では、ＵＳＢメモリ等の所定のコネクタを有する可搬記録媒体６を媒介にして被検体の患者情報を受信装置に供給していたが、これに限らず、コンパクトフラッシュ（登録商標）またはＳＤメモリカード等の所定のカードスロットに着脱可能に接続される可搬な記録媒体を媒介にして被検体の患者情報を受信装置に供給してもよい。この場合、かかる記録媒体を接続するカードスロットを受信器本体または外部モニタに配置すればよい。
【図面の簡単な説明】
【０１５４】
【図１】この発明の実施の形態１にかかる被検体内情報取得システムの一構成例を模式的に示す模式図である。
【図２】実施の形態１にかかる受信装置の一構成例を模式的に示すブロック図である。
【図３】受信器本体を初期設定するとともに可搬記録媒体内の登録済みの患者情報を消去する制御を行う制御部の処理手順を例示するフローチャートである。
【図４】可搬記録媒体に記録された検査対象の被検体の患者情報を受信装置に登録して受信装置を初期設定する状態を例示する模式図である。
【図５】この発明の実施の形態２にかかる被検体内情報取得システムの一構成例を示す模式図である。
【図６】実施の形態２にかかる受信装置の一構成例を模式的に示すブロック図である。
【図７】制御部の制御モードを選択するためのメニュー画面の一具体例を示す模式図である。
【図８】実施の形態２にかかる受信装置の受信器本体および外部モニタの各処理手順を例示するフローチャートである。
【図９】可搬記録媒体に記録された複数の被検体の患者情報の中から検査対象の被検体の患者情報を受信器本体に登録する状態を例示する模式図である。
【図１０】外部モニタの表示部に患者情報を一覧表示した状態を例示する模式図である。
【図１１】この発明の実施の形態３にかかる被検体内情報取得システムの一構成例を示す模式図である。
【図１２】実施の形態３にかかる受信装置の一構成例を模式的に示すブロック図である。
【図１３】この発明の実施の形態４にかかる被検体内情報取得システムの一構成例を示す模式図である。
【図１４】実施の形態４にかかる受信装置の一構成例を模式的に示すブロック図である。
【図１５】実施の形態４にかかる受信装置の受信器本体および外部モニタの各処理手順を例示するフローチャートである。
【図１６】リストバンドのＲＦＩＤタグに記録された患者情報を読み取る状態を例示する模式図である。
【図１７】この発明の実施の形態５にかかる被検体内情報取得システムの一構成例を示す模式図である。
【図１８】実施の形態５にかかる受信装置の一構成例を模式的に示すブロック図である。
【図１９】この発明の実施の形態６にかかる被検体内情報取得システムの一構成例を示す模式図である。
【図２０】この実施の形態６にかかる受信装置の一構成例を模式的に示すブロック図である。
【図２１】プリンタによって出力される印刷物の一具体例を示す模式図である。
【符号の説明】
【０１５５】
１  被検体
２  カプセル型内視鏡
３  受信装置
３ａ  受信器本体
４ａ〜４ｈ  受信アンテナ
５  画像表示装置
６  可搬記録媒体
６ａ  コネクタ
８  アンテナ切替部
９  受信回路
１０  切替制御回路
１１  信号処理回路
１２  通信部
１３  接続検知部
１５  入力部
１６  表示部
１７  記憶部
１８  制御部
１８ａ  初期化処理部
１８ｂ  消去処理部
１９  電源部
２３  受信装置
２３ａ  受信器本体
２３ｂ  外部モニタ
２３ｃ，２３ｄ  ケーブル
２４，３１〜３３  通信部
２５，３４  接続検知部
２６，３７  表示部
２８，３８  制御部
３６  入力部
３８ａ  モード切替部
３８ｂ  情報選択部
３８ｃ  消去処理部
３９  電源部
４３  受信装置
４３ｂ  外部モニタ
４４  記憶部
５３  受信装置
５３ｂ  外部モニタ
５４  ＲＦＩＤ処理部
５５  アンテナ
５８  制御部
５８ｂ  情報選択部
６３  受信装置
６３ａ  受信器本体
６３ｂ  外部モニタ
６４，６５  赤外線通信部
６６，６７  制御部
７３  受信装置
７３ｂ  外部モニタ
７４  プリンタ
７８  制御部
１００  メニュー
１０１，１０２  選択肢
１０３，１０４  接続マーク
１０５  電源残量マーク
１１０  患者情報一覧
１２０  リストバンド
１２１  ＲＦＩＤタグ
１３０  プリント紙
Ｒ１  医局
Ｒ２  検査室
【図１】
0004746428.tif 000002
【図２】
0004746428.tif 000003
【図３】
0004746428.tif 000004
【図４】
0004746428.tif 000005
【図５】
0004746428.tif 000006
【図６】
0004746428.tif 000007
【図７】
0004746428.tif 000008
【図８】
0004746428.tif 000009
【図９】
0004746428.tif 000010
【図１０】
0004746428.tif 000011
【図１１】
0004746428.tif 000012
【図１２】
0004746428.tif 000013
【図１３】
0004746428.tif 000014
【図１４】
0004746428.tif 000015
【図１５】
0004746428.tif 000016
【図１６】
0004746428.tif 000017
【図１７】
0004746428.tif 000018
【図１８】
0004746428.tif 000019
【図１９】
0004746428.tif 000020
【図２０】
0004746428.tif 000021
【図２１】
0004746428.tif 000022